(57)【特許請求の範囲】
【請求項１】
給湯源からの温水を供給する給湯弁と、
前記給湯弁から分岐された一方の管路に接続されて前記温水を噴出する噴出弁と、
前記給湯弁から分岐された他方の管路に接続されて水を排水する排水弁と、
前記排水弁の排水動作による排水温度を検出して温度検出情報を出力する検出手段と、
前記検出手段から出力される温度検出情報、排水設定時間及び噴出設定温度に基づいて前記排水弁の排水動作を制御する制御手段とを備え、
前記制御手段は、
前記温度検出情報を入力し、前記排水温度と噴出設定温度とを比較し、
前記排水温度が噴出設定温度以上になるまでは、前記排水弁による排水動作を継続し、
前記排水温度が設定値に達すると、温水を排水設定時間排出してから前記排水弁による排水動作を停止する状態を有することを特徴とする温水噴出装置。
【請求項２】
前記制御手段は、
前記温度検出情報を入力し、
前記排水温度と噴出設定温度とを比較し、
前記排水温度が設定温度以上になるまでは、前記排水弁による排水動作を継続し、
排水開始から前記排水温度が噴出設定温度以上になるまでの排水時間が、排水設定時間を経過していない場合、温水を排水設定時間排出してから前記排水弁の排水動作を停止するようにしたことを特徴とする請求項１に記載の温水噴出装置。
【請求項３】
前記排水弁には、
前記水の排出流量を調整可能なバルブが使用されることを特徴とする請求項１に記載の温水噴出装置。 
【請求項４】
前記給湯弁には、
前記水の排出流量を調整可能なバルブが使用されることを特徴とする請求項１に記載の温水噴出装置。 
【請求項５】
給湯器と、
前記給湯器より供給される温水を噴出し、又は、排水動作が可能な温水噴出手段と、
前記温水噴出手段の排水動作による排水温度を検出して温度検出情報を出力する検出手段と、
前記検出手段から出力される温度検出情報、排水設定時間及び噴出設定温度に基づいて前記温水噴出装置の排水動作を制御する制御手段とを備え、
前記制御手段は、
前記温度検出情報を入力し、
前記排水温度と噴出設定温度とを比較し、
前記排水温度が噴出設定温度以上になるまでは、前記温水噴出手段による排水動作を継続し、
前記排水温度が設定値に達すると、温水を排水設定時間排出してから前記温水噴出手段による排水動作を停止する状態を有することを特徴とする給湯システム。
【請求項６】
前記制御手段は、
前記温度検出情報を入力し、
前記排水温度と噴出設定温度とを比較し、
排水設定時間の経過後の前記排水温度が、噴出設定温度未満である場合に、給湯系統の故障を報知すると共に、前記温水噴出手段による排水動作を停止するようにしたことを特徴とする請求項５に記載の給湯システム。
【請求項７】
前記排水弁には、
前記水の排出流量を調整可能なバルブが使用されることを特徴とする請求項５に記載の給湯システム。 
【請求項８】
前記給湯弁には、
前記水の排出流量を調整可能なバルブが使用されることを特徴とする請求項５に記載の給湯システム。 
【請求項９】
給湯器より供給される温水を噴出し、又は、排水動作が可能な温水噴出手段が取り付けられてなる室であって、
前記温水噴手段の排水動作による排水温度を検出して温度検出情報を出力する検出手段と、
前記検出手段から出力される温度検出情報、予め設定された排水設定時間及び噴出設定温度に基づいて前記温水噴出装置の排水動作を制御する制御手段とを備え、
前記制御手段は、前記温度検出情報を入力し、前記排水温度と噴出設定温度とを比較し、
前記排水温度が噴出設定温度以上になるまでは、前記温水噴出手段による排水動作を継続し、
前記排水温度が設定値に達すると、温水を排水設定時間排出してから前記温水噴出手段による排水動作を停止する状態を有することを特徴とする室。
【発明の詳細な説明】
【技術分野】
【０００１】
この発明は、給湯器より供給される温水を噴出するミストサウナ装置に適用して好適な温水噴出装置、給湯システム及びこれらを応用した室に関する。詳しくは、排水温度を検出して得られた温度検出情報と予め設定された排水設定時間及び噴出設定温度に基づいてミスト発生装置の排水動作を制御する電源部ユニットを備え、配管内の水が冷たい場合も暖かい場合も、残水等の水の排出運転を効率良く制御できるようにすると共に、ミスト発生装置の使用間隔が長くなった場合も、当該ミスト発生装置を連続使用する場合も、常に、噴出設定温度の温水を噴出できるようにしたものである。
【背景技術】
【０００２】
従来より、温水をミストとして浴室内に噴出し、浴室の暖房を行うミストサウナ装置等と称される装置が提案されている（例えば、特許文献１参照）。
【０００３】
ミストサウナ装置は、単数もしくは複数のミストノズルを浴室の壁面等に備え、給湯器から供給された温水をミストにして浴室内に噴出する構成である。
【０００４】
【特許文献１】特公平６−５９３０１号公報
【発明の開示】
【発明が解決しようとする課題】
【０００５】
従来方式のミストサウナ装置によれば、次のような問題がある。
【０００６】
ｉ．ミストサウナ運転開始時の立ち上がり排水運転によれば、配管内の水が冷たい場合も暖かい場合も、残水等の水の排水運転を排水設定時間と温水排出量の両面で効率良く制御できていないのが現状である。この場合の水には温水を含んでいる。
【０００７】
従って、１日のうち最初にミストに入る人と、最初の人に続いて直ぐにミストに入る二番目の人とでミスト噴出温度が異なってしまうおそれがある。特に、ミスト発生装置の使用間隔が長くなった場合や、当該ミスト発生装置を連続使用する場合に、噴出設定温度の温水を噴出できていないのが現状である。
【０００８】
ii．また、上述の排水運転によれば、ミストサウナ運転開始時に給湯装置が出湯を開始する流量として、例えば、２リットル／分を排水する必要がある。この場合、ミストサウナ立ち上げのためには、２リットル／分だけ確保できれば良く、温水を排水しすぎるのは無駄である。
【０００９】
iii．冬季の配管凍結防止のために低温時、定期的に温水を排水する必要があるが、その際の排水流量は省エネのために少量が望ましい。
【００１０】
iv．ミストサウナ運転開始時に配管内の残水を捨てる必要があるが、短時間で排水するのが望ましいことから、一度に多量の残水が排水できるものが好ましい。このように、従来方式のミストサウナ装置は、一義的に開閉する排水弁を使用して、排水運転を実行しており、排水目的に応じた流量調節を制御していないのが現状である。因みに一義的に開閉する排水弁の場合に、排水流量は一定となってしまう。
【００１１】
この発明は、上述の課題に鑑み創作されたものであり、配管内の水が冷たい場合も暖かい場合も、常に、噴出設定温度の温水を噴出できるようにした温水噴出装置、給湯システム及びこれらを応用した室を提供することにある。
【課題を解決するための手段】
【００１２】
本発明に係る温水噴出装置は、給湯源からの温水を供給する給湯弁と、この給湯弁から分岐された一方の管路に接続されて温水を噴出する噴出弁と、給湯弁から分岐された他方の管路に接続されて水を排水する排水弁と、この排水弁の排水動作による排水温度を検出して温度検出情報を出力する検出手段と、この検出手段から出力される温度検出情報、排水設定時間及び噴出設定温度に基づいて排水弁の排水動作を制御する制御手段とを備え、この制御手段は、温度検出情報を入力し、排水温度と噴出設定温度とを比較し、排水温度が噴出設定温度以上になるまでは、排水弁による排水動作を継続し、排水温度が設定値に達すると、温水を排水設定時間排出してから排水弁による排水動作を停止する状態を有することを特徴とするものである。
【００１３】
本発明に係る温水噴出装置によれば、給湯弁は、給湯源からの温水を配管を通じて供給する。噴出弁は、給湯弁から分岐された一方の管路に接続されて温水を噴出する。排水弁は、給湯弁から分岐された他方の管路に接続されて残水又は温水を排水する。検出手段は、排水弁の排水動作による排水温度を検出して温度検出情報を出力する。これを前提にして、制御手段は、検出手段から出力される温度検出情報、予め設定された排水設定時間及び噴出設定温度に基づいて排水弁の排水動作を制御するようになる。
【００１４】
例えば、制御手段は、温度検出情報を入力し、排水温度と噴出設定温度とを比較し、排水温度が噴出設定温度以上になるまでは、排水弁による排水動作を継続する。排水温度が設定値に達すると、温水を排水設定時間排出してから排水弁による排水動作を停止する状態を有する。従って、配管内の水が冷たい場合も暖かい場合も、残水等の水の排出運転を排水設定時間と温水排出量の両面で効率良く制御できるようになる。
【００１５】
本発明に係る給湯システムは、給湯器と、この給湯器より供給される温水を噴出し、又は、排水動作が可能な温水噴出手段と、この温水噴出手段の排水動作による排水温度を検出して温度検出情報を出力する検出手段と、この検出手段から出力される温度検出情報、排水設定時間及び噴出設定温度に基づいて温水噴出装置の排水動作を制御する制御手段とを備え、この制御手段は、温度検出情報を入力し、排水温度と噴出設定温度とを比較し、排水温度が噴出設定温度以上になるまでは、温水噴出手段による排水動作を継続し、排水温度が設定値に達すると、温水を排水設定時間排出してから温水噴出手段による排水動作を停止する状態を有することを特徴とするものである。
【００１６】
本発明に係る給湯ユニットによれば、本発明に係る温水噴出装置が応用されるので、制御手段は、温度検出情報を入力し、排水温度と噴出設定温度とを比較し、排水温度が噴出設定温度以上になるまでは、温水噴出手段による排水動作を継続し、排水温度が設定値に達すると、温水を排水設定時間排出してから温水噴出手段による排水動作を停止する。従って、配管内の水が冷たい場合も暖かい場合も、残水等の水の排出運転を排水設定時間と温水排出量の両面で効率良く制御できるようになる。
【００１７】
本発明に係る室は、給湯器より供給される温水を噴出し、又は、排水動作が可能な温水噴出手段が取り付けられてなる室であって、温水噴手段の排水動作による排水温度を検出して温度検出情報を出力する検出手段と、この検出手段から出力される温度検出情報、排水設定時間及び噴出設定温度に基づいて温水噴出装置の排水動作を制御する制御手段とを備え、この制御手段は、温度検出情報を入力し、排水温度と噴出設定温度とを比較し、排水温度が噴出設定温度以上になるまでは、温水噴出手段による排水動作を継続し、排水温度が設定値に達すると、温水を排水設定時間排出してから温水噴出手段による排水動作を停止する状態を有することを特徴とするものである。
【００１８】
本発明に係る室によれば、本発明に係る温水噴出装置が応用されるので、制御手段は、温度検出情報を入力し、排水温度と噴出設定温度とを比較し、排水温度が噴出設定温度以上になるまでは、温水噴出手段による排水動作を継続し、排水温度が設定値に達すると、温水を排水設定時間排出してから温水噴出手段による排水動作を停止する。従って、配管内の水が冷たい場合も暖かい場合も、残水等の水の排出運転を排水設定時間と温水排出量の両面で効率良く制御できるようになる。
【発明の効果】
【００１９】
本発明に係る温水噴出装置によれば、排水温度を検出して得られた温度検出情報と排水設定時間及び噴出設定温度に基づいて温水噴出装置の排水動作を制御する制御手段を備え、この制御手段は、温度検出情報を入力し、排水温度と噴出設定温度とを比較し、排水温度が噴出設定温度以上になるまでは、温水噴出手段による排水動作を継続し、排水温度が設定値に達すると、温水を排水設定時間排出してから温水噴出手段による排水動作を停止する状態を有するものである。
【００２０】
この構成によって、排水温度が噴出設定温度以上である場合は、配管内温水の排出量を残水排出時よりも、少なくする温水排出運転を実行することができ、排水温度が噴出設定温度未満である場合は、配管内残水の排出量を温水排出時よりも、多くする残水排出運転を実行することができる。従って、配管内の水が冷たい場合も暖かい場合も、残水等の水の排出運転を効率良く制御できるようになる。これにより、温水噴出装置の使用間隔が長くなった場合も、当該温水噴出装置を連続使用する場合も、常に、噴出設定温度の温水を噴出できるようになる。
【００２１】
本発明に係る給湯ユニットによれば、本発明に係る温水噴出装置が応用されるので、排水温度が噴出設定温度以上である場合は、配管内温水の排出量を残水排出時よりも、少なくする温水排出運転を実行することができ、排水温度が噴出設定温度未満である場合は、配管内残水の排出量を温水排出時よりも、多くする残水排出運転を実行することができる。
【００２２】
この構成によって、配管内の水が冷たい場合も暖かい場合も、残水等の水の排出運転を効率良く制御できるようになる。これにより、温水噴出装置の使用間隔が長くなった場合も、当該温水噴出装置を連続使用する場合も、常に、噴出設定温度の温水を噴出できるようになる。
【００２３】
本発明に係る室によれば、本発明に係る温水噴出装置が応用されるので、排水温度が噴出設定温度以上である場合は、配管内温水の排出量を残水排出時よりも、少なくする温水排出運転を実行することができ、排水温度が噴出設定温度未満である場合は、配管内残水の排出量を温水排出時よりも、多くする残水排出運転を実行することができる。
【００２４】
この構成によって、配管内の水が冷たい場合も暖かい場合も、残水等の水の排出運転を効率良く制御できるようになる。これにより、温水噴出手段が取り付けられた室の使用間隔が長くなった場合も、当該温水噴出手段が取り付けられた室を連続使用する場合も、常に、噴出設定温度の温水を噴出できるようになる。
【発明を実施するための最良の形態】
【００２５】
以下、図面を参照しながら、この発明の実施の形態について説明する。
【実施例１】
【００２６】
図１は、本発明に係る第１の実施例としての浴室システム１の構成例を示す断面の概念図である。
【００２７】
＜浴室システムの全体＞
図１に示す浴室システム１は給湯システムの一例を構成し、本発明に係る温水噴出装置が応用される。この浴室システム１は、ミスト発生装置２、浴室空調装置３及びヒートポンプ式の給湯装置４を備えて構成されている。ミスト発生装置２は、浴室１０１の天井に配設され、霧状にした温水（ミスト）を浴室１０１内に噴出するようになされる。このミスト発生装置２は、給湯源や給湯器等の一例を構成する給湯装置４より排出される温水を利用してミストを発生するものである。
【００２８】
ミスト発生装置２は、電磁弁ユニット２Ａ、電源部ユニット２Ｂ及びノズルユニット２Ｃから構成されている。電磁弁ユニット２Ａの内部には複数の電磁弁が設けられ、給湯装置４より排出される温水又は配管内の残水の排出を切換えるようになされる。電磁弁ユニット２Ａは浴室１０１の天井裏に置かれるが、浴室１０１の天井に有する点検口１０１ａの近傍に配設される。
【００２９】
電磁弁ユニット２Ａには、給湯装置４から排出される温水を受けるための給湯配管２ａと、ノズルユニット２Ｃに温水を供給するためのノズル配管２ｂと、温水（残水）を排水するためのドレン配管２ｃとが接続されている。ドレン配管２ｃの開放端は、浴槽１０１ｂの下面に配置されたドレンパン１０１ｃに対向するようにされている。ここで、給湯配管２ａは第１の温水路を構成し、ノズル配管２ｂは第２の温水路を構成し、ドレン配管２ｃは第３の温水路を構成している。
【００３０】
電磁弁ユニット２Ａには、制御手段の一例を構成する電源部ユニット２Ｂが接続されている。電源部ユニット２Ｂにはミスト操作部７が接続される。電源部ユニット２Ｂは、電磁弁ユニット２Ａと同様にして、浴室１０１の天井裏に配置され、当該ユニット内に設けられた複数の電磁弁をミスト操作部７からの操作指令に基づいて開閉制御を実行する。
【００３１】
この例で、電源部ユニット２Ｂは、排水運転（以下ミストサウナ運転という）開始時、排水温度が噴出設定温度以上である場合は、配管内温水の排出量を少なくする温水排出運転を実行し、排水温度が噴出設定温度未満である場合は、配管内残水の排出量を多くする残水排出運転を実行する。電磁弁ユニット２Ａにはノズルユニット２Ｃが接続され、浴室内に向けて配置されるノズルを備え、温水によるミストを噴出するようになされる。ノズルユニット２Ｃは例えば、天井表面に取り付けられる。
【００３２】
浴室空調装置３も浴室１０１の天井に配設され、浴室１０１の暖房や換気等が行われる。浴室空調装置３の熱源として、当該浴室空調装置３に内蔵した電気ヒータが利用される。浴室空調装置３には換気ダクト８が接続され、この換気ダクト８には換気グリル８ａが接続される。換気グリル８ａは、排気口を有しており、浴室外部に排気口を向けて取り付けられる。
【００３３】
上述の電磁弁ユニット２Ａには、給湯装置４が接続され、冷媒ガスを圧縮して得られる熱源を利用して水を温めるようになされる。給湯装置４は、屋外に配置され、ミスト発生装置２及び浴室１０１等に温水を給湯し、又は水を供給するようになされる。給湯装置４からの温水は、洗面脱衣所１０２の洗面器の給湯栓１０２ａにも給湯される。
【００３４】
なお、ミスト発生装置２及び浴室空調装置３には、主操作部６及びミスト操作部７が接続され、これらの操作に基づいてミスト発生及び空調動作を実行する。主操作部６は、浴室空調装置３に内蔵された制御部（図１には図示せず）に電気ケーブル６ａで接続されたリモートコントロール（遠隔制御）装置である。この主操作部６（以下、「空調リモコン６」という）は、洗面脱衣所１０２の壁に取り付けられている。ミスト操作部７は、電源部ユニット２Ｂに内蔵された制御部（図１には図示せず）に電気ケーブル７ａで接続されたリモートコントロール装置である。このミスト操作部７（以下、「ミストリモコン７」という）は、浴室１０１の壁に取り付けられている。
【００３５】
また、浴室１０１内、例えば、浴室空調装置３のフロントパネル２６には、人体検出センサ６９Ａが取り付けられ、浴室利用者が浴室内に入室すると、それを検知して入室検知信号Ｓ６９を出力するようになされる。この人体検出センサ６９Ａは、例えば赤外線センサを用いて構成されたものである（特開平１０−１４２３５１号公報参照）。
【００３６】
このように、温水噴出装置及び給湯システムを応用した浴室システム１が構成される。以下で、電磁弁ユニット２Ａの内部構成例及びその制御例について説明する。
【００３７】
＜電磁弁ユニット＞
図２は、電磁弁ユニット２Ａの構成例を示す正面図である。図２に示す電磁弁ユニット２Ａは筐体２Ａ′を有している。この例で、筐体２Ａ′の一側面を開放すると、電磁弁ユニット内の電磁弁の配置が見られる構成となされている。
【００３８】
筐体２Ａ′には、上述した給湯配管２ａを接続するための接続部２ａ′と、同様にノズル配管２ｂを接続するための接続部２ｂ′と、ドレン配管２ｃを接続するための接続部２ｃ′とが取り付けられて固定されている。
【００３９】
この例で、筐体２Ａ′の内側において、接続部２ａ′には給湯弁の一例となる給湯用の電磁弁２ｄが取り付けられ、給湯装置４からの温水を供給するようになされる。この電磁弁２ｄから分岐された一方の配管２ｊには、噴出弁の一例となるミストユニット用の電磁弁２ｅが取り付けられ、温水をノズルユニット２Ｃへ供給するようになされる。電磁弁２ｅの下流側（他端）は接続部２ｂ′に取り付けられる。
【００４０】
電磁弁２ｅよりも低い位置には、排水弁の一例となる電磁弁２ｆが配設されると共に、電磁弁２ｄから分岐された他方の配管２ｋに取り付けられ、水や残水等を排出するようになされる。ここにいう水には、温水を含むものである。電磁弁２ｆの下流側（他端）は接続部２ｃ′に取り付けられる。つまり、接続部２ａ′には電磁弁２ｄの一端が接続され、この電磁弁２ｄの他端には配管２ｊを介して電磁弁２ｅの一端が接続される。この電磁弁２ｅの他端は接続部２ｂ′に接続される。さらに、配管２ｊから分岐された配管２ｋは、電磁弁２ｆの一端に接続され、この電磁弁２ｆの他端には接続部２ｃ′が接続される。
【００４１】
上述の電磁弁ユニット２Ａの内部には、電磁弁２ｄ，２ｅ，２ｆの他に、温度検出センサ２ｈが配されている。温度検出センサ２ｈは、例えば、配管２ｊに取り付けられており、電磁弁２ｄを通過した後の配管２ｊを流れる水（温水）の温度を検出して温度検出信号Ｓ２ｈを出力するようになされる。この例では、ミストサウナ運転開始時、電磁弁２ｆの排水動作による排水温度が検出されて温度検出信号Ｓ２ｈ（温度検出情報）が温度センサ２ｈから電源部ユニット２Ｂへ出力される。
【００４２】
＜電源部ユニット＞
上述した電磁弁２ｄ、電磁弁２ｅ及び電磁弁２ｆには、電源部ユニット２Ｂが接続され、温度センサ２ｈから出力される温度検出信号Ｓ２ｈ、予め設定された排水設定時間ｔ及び噴出設定温度ＴＨに基づいて電磁弁２ｆの排水動作を制御する。例えば、電源部ユニット２Ｂは、ミストサウナ運転開始時、排水温度Ｔ１が噴出設定温度ＴＨ以上である場合は、配管内温水の排出量を少なくする温水排出運転を実行する。また、排水温度Ｔ１が噴出設定温度ＴＨ未満である場合は、配管内残水の排出量を多くする残水排出運転を実行する。
【００４３】
電源部ユニット２Ｂでは、例えば、温度検出信号Ｓ２ｈを入力し、排水温度Ｔ１と噴出設定温度ＴＨとを比較し、排水温度Ｔ１が噴出設定温度ＴＨ以上である場合は、排水設定時間ｔだけ温水Ｉを排出してからミスト発生装置２の排水動作を停止する。また、排水温度Ｔ１が噴出設定温度ＴＨ未満である場合は、排水温度Ｔ１が噴出設定温度ＴＨとなるまで、ミスト発生装置２の排水動作を継続し、排水温度Ｔ１が噴出設定温度ＴＨに達すると、ミスト発生装置２の排水動作を停止する。
【００４４】
なお、排水温度Ｔ１が噴出設定温度ＴＨに達するまでに、所定時間を超えていれば、排水設定時間ｔによる排水を行わないようにすることもできる。また、前述した排水設定時間ｔは、排水温度Ｔ１が噴出設定温度ＴＨに到達するまでに要する時間に基づき、ゼロを含めて可変してもよい。
【００４５】
図３Ａ〜Ｃは、電磁弁ユニット２Ａのミストサウナ運転開始時の動作例を示す線図である。図３Ａに示す電磁弁ユニット２Ａでは、ミストサウナ運転開始直前の状態であって、当該電磁弁ユニット内の全ての電磁弁２ｄ、２ｅ及び２ｆが閉じた状態となされる。この状態はミストサウナ運転を停止していてその開始を待機している状態でもある。
【００４６】
図３Ｂに示す電磁弁ユニット２Ａによれば、ミストサウナ運転開始時の排水制御において、当該電磁弁ユニット内の給湯用の電磁弁２ｄ及び排水用の電磁弁２ｆが開いた状態で、ミストユニット用の電磁弁２ｅが閉じた状態に制御される。この制御では、給湯配管２ａ（図１参照）からの温水Ｉが接続部２ａ′から電磁弁２ｄ及び配管２ｋを通じて排水用の電磁弁２ｆに供給される場合であって、排水温度Ｔ１が噴出設定温度ＴＨ以上となるように、配管内の残水を排出するようになされる。このとき、電磁弁２ｄを通過した後の配管２ｊを流れる水（温水）の温度が検出され、温度検出センサ２ｈから電源部ユニット２Ｂへ温度検出信号Ｓ２ｈが出力される。
【００４７】
電源部ユニット２Ｂでは、温度検出信号Ｓ２ｈを入力し、排水温度Ｔ１と噴出設定温度ＴＨとを比較し、排水温度Ｔ１が噴出設定温度ＴＨ以上である場合は、排水設定時間ｔだけ温水Ｉを排出してから電磁弁２ｆを閉じて排水動作を停止する。また、排水温度Ｔ１が噴出設定温度ＴＨ未満である場合は、排水温度Ｔ１が噴出設定温度ＴＨとなるまで、電磁弁２ｆを開いた状態で排水動作を継続し、排水温度Ｔ１が噴出設定温度ＴＨと一致した時点で電磁弁２ｆの排水動作を停止するようになされる。
【００４８】
図３Ｃに示す電磁弁ユニット２Ａによれば、ミストサウナ運転時の給湯制御において、電磁弁２ｄを開いたままで、ミストユニット用の電磁弁２ｅを開く。この電磁弁２ｅを開くことで、給湯配管２ａからの温水Ｉが接続部２ａ′から電磁弁２ｄ、配管２ｊ、電磁弁２ｅ及び接続部２ｂ′を通じてノズル配管２ｂ（図１参照）に供給される。温水Ｉはミストノズルユニット２Ｃから噴出される。このとき、排水用の電磁弁２ｆは閉じたままである。
【００４９】
図４Ａ及びＢは、電磁弁ユニット２Ａのミストサウナ運転停止時の動作例を示す線図である。図４Ａに示す電磁弁ユニット２Ａによれば、ミストサウナ運転停止後の排水制御において、給湯用の電磁弁２ｄを閉じる。次に、排水用の電磁弁２ｆを開けることで、接続管２ｂ′からの残水（温水）IIが、配管２ｊ及び２ｋを通じて電磁弁２ｆを通じて排水される。このとき、電磁弁２ｅは開いたままなので、接続管２ｂ′を通じて空気IIIを電磁弁２ｅ、配管２ｊ及び２ｋの内部に取り込むようになる。これにより、接続管２ｂ′、電磁弁２ｅ、配管２ｊ及び２ｋ内の残水IIを電磁弁２ｆを通じてドレンパン１０１ｃへ排出することができる。
【００５０】
この例では、所定時間後、例えば、３秒後にミストユニット用の電磁弁２ｅが閉じると共に、排水用の電磁弁２ｆを閉じるように制御される。これにより、図４Ｂに示すように電磁弁ユニット内の全ての電磁弁２ｄ、２ｅ及び２ｆが閉じた状態となされる。次のミストサウナ運転を待機するようになされる。
【００５１】
＜ノズルユニット＞
図５Ａ〜Ｃは、ノズルユニット２Ｃの構成例を示す図である。図５Ａは、ノズルユニット２Ｃの正面図、図５Ｂはノズルユニット２Ｃの下側から見た平面図、図５Ｃはノズルユニット２Ｃの側面図を各々示している。
【００５２】
図５Ａに示すノズルユニット２Ｃは、ミストを噴出するためのノズル２ｍを長手方向の下部に複数個、ここでは図５Ｂに示すように、３個直列に配置しており、全体として直方体状の可動部２Ｃaと、この可動部２Ｃaの長手方向の両側にそれぞれ配置された固定部２Ｃb1，２Ｃb2とから構成されている。固定部２Ｃb1，２Ｃb2は、浴室１０１の天井に固定され、可動部２Ｃaを回動可能に軸支している。図５Ｃに示すように、可動部２Ｃaは、回動軸を基準にして左右にスイング可能な構造となされている。
【００５３】
例えば、固定部２Ｃb1は、図示せずも可動部２Ｃaを回動駆動するための、モータ、減速機構等を備えた駆動機構を備えている。この駆動機構により、可動部２Ｃaを回動させ、ノズル２ｍが所定方向に向くように制御することが可能となっている。但し、可動部２Ｃaを回動駆動するための駆動機構を設けず、手動で任意に方向を切替えられる構造としてもよい。
【００５４】
固定部２Ｃb2はノズル配管２ｂ（図１参照）を接続するための接続部２ｎを備えている。この接続部２ｎにノズル配管２ｂから供給される温水Ｉは、図示しない固定部２Ｃb2内の配管及び可動部２Ｃa内の配管を通じて各ノズル２ｍに供給され、ミストとして噴出される。
【００５５】
＜浴室空調装置＞
図６及び図７は、浴室空調装置３の構成例を示す図である。図６は、浴室空調装置３の内部構成例を示す断面図である。
【００５６】
図６に示す浴室空調装置３は、ファン部３２と、熱源としてのヒータ部３３とを備えている。ファン部３２は、本体ケース３４に取り付けられている。ファン部３２は、回転駆動される多翼のファン３５と、このファン３５を回転駆動するモータ３６と、このモータ３６が取り付けられると共に、風路を形成するファンケース３７とを備えている。
【００５７】
ファン３５は縦向きに配置されている。ファンケース３７のファン３５の軸方向に沿った下面が開口し、吸込口３８とされている。また、ファンケース３７のファン３５の軸方向とは直交する方向に沿った一の側面が開口し、この開口部に風路切換部３９が備えられている。
【００５８】
風路切換部３９は風路を切り換えるダンパ４０を備える。ダンパ４０は後述するダンパモータの駆動力がカム４０ａを介して伝達され、軸４０ｂを支点に回転して開閉動作を行う。ファンケース３７は、風路切換部３９と連通して下面に吹出口４１を備えると共に、風路切換部３９と連通して一の側面に排気口４２を備えている。この場合、ダンパ４０の位置によって、吸込口３８から吹出口４１へ連通した風路、あるいは吸込口３８から排気口４２へ連通した風路が形成される。
【００５９】
上述の吹出口４１の所定の位置にはヒータ部３３が取り付けられ、排出する空気を加熱するようになされる。ヒータ部３３には、加熱手段を構成する電気ヒータが使用される。吹出口４１から浴室内へ温風を排気することで、ミストの温度低下を防止し、浴室内を暖房するようになされる。
【００６０】
ファンケース３７は、ヒータ部３３の上流側であって、吸込口３８の所定の位置にはイオン発生器４４を備えている。イオン発生器４４は、ダンパ４０を循環位置あるいは循環換気位置に設定することで形成される循環風路４３ａにイオン放出面を露出するようになされる。イオン発生器４４は、正イオンと負イオンの両方あるいは負イオンを発生する。正イオンと負イオンの発生の原理は、誘電体が介在するように対向させた一対の電極間に家庭用交流電源等から取った交流電圧を昇圧して印加することにより、コロナ放電を起こし、空気中の酸素ないしは水分が電離によりエネルギーを受けてイオン化し、Ｈ+（Ｈ2Ｏ）m（ｍは任意の自然数）と、Ｏ2-（Ｈ2Ｏ）n（ｎは任意の自然数）が主体のイオンを放出するものである。
【００６１】
これらＨ+（Ｈ2Ｏ）m及びＯ2-（Ｈ2Ｏ）nは、浮遊菌の表面に付着し、化学反応して活性種であるＨ2Ｏ2又は・ＯＨを生成する。Ｈ2Ｏ2又は・ＯＨは、極めて強力な活性を示すため、これらにより、空気中の浮遊細菌を取り囲んで不活化することができる。ここで、・ＯＨは活性種の１種であり、ラジカルのＯＨを示している。
【００６２】
これにより、ファン部３２の運転と連動させて略同数の正イオンと負イオンを発生させ、略同数の正イオンと負イオンを含む空気を送風することで、循環する空気に含まれる浮遊細菌と、図１に示す浴室１０１の空気中の浮遊細菌の双方を除去して、カビの発生等を抑えることができる。
【００６３】
図７は浴室空調装置３の分解例を示す斜視図である。図７に示す浴室空調装置３は、本体ケース３４からフロントパネル２６が取外し（分解）可能な構造となされている。この例で、本体ケース３４の吸込口３８に対応した部分に、温度検出センサ６９が取り付けられている。この温度検出センサ６９は、浴室１０１の温度を検出するためのものである。
【００６４】
図７において、本体ケース３４は、下面が開口し、吸込口３８と吹出口４１が露出するようにされている。この本体ケース３４の下面開口部に、フロントパネル２６が取り付けられる。フロントパネル２６は、本体ケース３４に着脱可能なように構成されている。
【００６５】
このフロントパネル２６は、ファン部３２の吸込口３８と対向して吸込グリル４５を備えると共に、ファン部３２の吹出口４１と対向して吹出グリル４６を備える。また、フロントパネル２６の吸込グリル４５の裏側に、図示しないフィルタ４７が交換可能に取り付けられる。本体ケース３４は、ファン部３２の排気口４２と連通する排気ダクト接続部４８を一の側面に備える。この排気ダクト接続部４８に、図１に示したような排気ダクト８が接続される。
【００６６】
図８Ａ〜Ｃは、浴室空調装置３の動作例を示す図である。図８Ａは、ダンパ４０を全閉にした状態例を示す断面図である。この例では、浴室空調装置３のダンパ４０を全閉にすると、排気口４２への風路が遮断され、吸込口３８から吹出口４１へ連通した循環風路４３ａが形成される。このため、ダンパ４０が全閉となる位置をダンパ４０の循環位置と称する。
【００６７】
また、図８Ａに示すように、ダンパ４０の位置を循環位置にし、モータ３６によりファン３５を回転駆動すると、空気が吸込口３８から吸い込まれ、循環風路４３ａを通り吹出口４１から吹き出す。このとき、ヒータ部３３に通電すると、ヒータ部３３が加熱することで吹出口４１を通る空気が温められ、温風が吹出口４１から吹き出す。ここで、ヒータ部３３としては例えばＰＴＣ(Positive Temperature Coefficient)ヒータを使用できる。
【００６８】
図８Ｂは、ダンパ４０を全開にした状態例を示す断面図である。図８Ｂに示す浴室空調装置３によれば、そのダンパ４０を全開にすると、吹出口４１への風路が遮断され、吸込口３８から排気口４２へ連通した換気風路４３ｂが形成される。このため、ダンパ４０が全開となる位置をダンパ４０の換気位置と称する。
【００６９】
図８Ｃは、ダンパ４０を循環位置と換気位置の中間位置にした状態例を示す断面図である。図８Ｃに示す浴室空調装置３によれば、そのダンパ４０を循環位置と換気位置の中間位置にすると、吸気口３８から吹出口４１へ連通した循環風路４３ａと、吸気口３８から排気口４２へ連通した換気風路４３ｂの双方が形成される。この中間位置を循環換気位置と称する。
【００７０】
続いて、浴室空調装置３の動作例について説明をする。この浴室空調装置３では、例えば、モータ３６が回転駆動されると、ファン部３２のファン３５が回転する。ファン３５が回転すると、フロントパネル２６の吸込グリル４５を介して、ファン部３２の吸込口３８から浴室１０１の空気が吸い込まれる。
【００７１】
ダンパ４０の位置が図８Ａに示す循環位置にあると、ファン部３２において吸込口３８から吹出口４１への循環風路４３ａが形成されるので、吸込口３８から吸い込まれた空気は、循環風路４３ａを通り吹出口４１からフロントパネル２６の吹出グリル４６を介して浴室１０１内に吹き出される。
【００７２】
ヒータ部３３は循環風路４３ａの吹出口４１に配置されるので、ヒータ部３３が駆動されることで、循環風路４３ａを通る空気は、このヒータ部３３で温められて吹出グリル４６から吹き出す。これにより、ダンパ４０を循環位置として、モータ３６が回転駆動されると、ヒータ部３３を駆動した場合は、浴室１０１内の空気を循環させながら、浴室１０１内に温風を吹き出させることができる。
【００７３】
ダンパ４０の位置が図８Ｂに示す換気位置にあると、ファン部３２において吸込口３８から排気口４２への換気風路４３ｂが形成されるので、吸込口３８から吸い込まれた空気は、換気風路４３ｂ及び排気口４２を通り、さらに、図１に示した排気ダクト８を通って排気グリル８ａから屋外へ排気される。これにより、ダンパ４０を換気位置として、モータ３６が回転駆動されると、浴室１０１内の湯気や湿気が排気される。
【００７４】
ダンパ４０の位置が図８Ｃに示す循環換気位置にあると、ファン部３２において吸込口３８から吹出口４１への循環風路４３ａ及び吸込口３８から排気口４２への換気風路４３ｂの双方が形成されるので、吸込口３８から吸い込まれた空気は、一部は循環風路４３ａを通り吹出口４１からフロントパネル２６の吹出グリル４６を介して浴室１０１内に吹き出され、その他は換気風路４３ｂ及び排気口４２を通り、さらに、図１に示した排気ダクト８を通って排気グリル８ａから屋外へ排気される。
【００７５】
これにより、ダンパ４０を循環換気位置として、モータ３６が回転駆動されると、ヒータ部３３が非駆動の場合は、浴室１０１内の空気を循環させながら、浴室１０１内の湯気や湿気が排気される。また、ヒータ部３３を駆動した場合は、浴室１０１内の空気を循環させてこの浴室１０１内に温風を吹き出しながら、浴室１０１内の湯気や湿気が排気される。
【００７６】
＜ヒートポンプ式の給湯システム＞
図９は、ヒートポンプ式の給湯装置４の構成例を示すブロック図である。図９に示す給湯装置４は、図１に示したミスト発生装置２、浴室１０１、洗面脱衣所１０２、台所１０３等に温水Ｉを供給するものである。
【００７７】
給湯装置４は、ヒートポンプユニット５３及び貯湯タンクユニット５４を有して構成される。ヒートポンプユニット５３は、大気と冷媒ガスとの間の熱交換及び冷媒ガスと水との間の熱交換で温水Ｉを生成する。貯湯タンクユニット５４には、ヒートポンプユニット５３で生成された温水Ｉを貯水するようになされる。例えば、貯湯タンクユニット５４は、３００乃至５００リットルの蓄湯容量を有している。
【００７８】
ヒートポンプユニット５３は、空気熱交換器５５及び水熱交換器５６を有して構成される。空気熱交換器５５は、大気と冷媒ガスとの間で熱交換を行って、冷媒ガスの温度を上昇させるものである。水熱交換器５６は、冷媒ガスと水との間で熱交換を行って、水の温度を上昇させるものである。
【００７９】
ヒートポンプユニット５３には、ファン５５ａ及び冷媒配管５７が設けられる。ファン５５ａは、空気熱交換器５５に大気を供給するように使用される。冷媒配管５７は、空気熱交換器５５と水熱交換器５６との間に接続され、空気熱交換器５５と水熱交換器５６との間で冷媒ガスを循環するように使用される。
【００８０】
また、ヒートポンプユニット５３には、ファン５５ａ及び冷媒配管５７の他に圧縮機５８が備えられる。圧縮機５８は、空気熱交換器５５と水熱交換器５６の間であって、空気熱交換器５５の下流側に配置され、空気熱交換器５５で熱交換されて冷媒配管５７を流れる冷媒ガスを圧縮して温度をさらに上昇させるように使用される。
【００８１】
また、ヒートポンプユニット５３には、空気熱交換器５５と水熱交換器５６の間であって、水熱交換器５６の下流側には膨張弁５９が備えられる。膨張弁５９は、水熱交換器５６で熱交換されて冷媒配管５７を流れる冷媒ガスを膨張させて温度を低下させるように使用される。
【００８２】
ヒートポンプユニット５３には貯湯タンクユニット５４が接続され、当該ヒートポンプユニット５３で生成された温水Ｉを貯水するタンク６０を備える。タンク６０は、下部側に水が供給されると共に、上部側に温水Ｉが供給されて、下部側に比べて上部側の温度が高くなる段層化した状態で温水Ｉを貯水する。
【００８３】
ヒートポンプユニット５３と貯湯タンクユニット５４とは、水熱交換器５６とタンク６０の間が温水配管６１ａ及び冷水配管６１ｂで接続されている。例えば、温水配管６１ａは、水熱交換器５６の流出側と、タンク６０の上部側に設けられる流入口６０ａとの間を接続する。また、冷水配管６１ｂは、水熱交換器５６の流入側と、タンク６０の下部側に設けられる流出口６０ｂの間を接続する。
【００８４】
この冷水配管６１ｂにはポンプ６１ｃが取り付けられている。ポンプ６１ｃは、冷水配管６１ｂを介してタンク６０の流出口６０ｂから水を吸い込んで水熱交換器５６に供給し、水熱交換器５６を通過して生成された温水Ｉを、温水配管６１ａを介して流入口６０ａからタンク６０に供給する。
【００８５】
また、タンク６０には取水配管６２と給湯配管６３とがそれぞれ接続されている。取水配管６２は、タンク６０に貯水された温水Ｉを取水するために使用される。取水配管６２は、高温部取水配管６２ａと中温部取水配管６２ｂを備えている。高温部取水配管６２ａは、流入口６０ａと独立してタンク６０の上部に設けられる高温部取水口６０ｃと接続される。中温部取水配管６２ｂは、高温部取水口６０ｃより下側に設けられる中温部取水口６０ｄに接続される。
【００８６】
取水配管６２は、高温部取水配管６２ａと中温部取水配管６２ｂの合流箇所に切換弁６２ｃを備え、タンク６０における取水元が、高温部取水口６０ｃか中温部取水口６０ｄに切り換えられる。
【００８７】
給水配管６３は、タンク６０に給水を行うために使用される。給水配管６３は、例えば、流出口６０ｂと独立してタンク６０の下部に設けられる給水口６０ｅと接続されると共に、タンク６０の手前で分岐した分岐給水配管６３ａを備える。
【００８８】
さらに、貯湯タンクユニット５４は、取水配管６２から供給される温水Ｉと、分岐給水配管６３ａから供給される水を混合させる給湯混合弁６４を備える。給湯混合弁６４は、取水配管６２と分岐給水配管６３ａの合流箇所に備えられ、取水配管６２から供給される温水Ｉと、分岐給水配管６３ａから供給される水の混合比を切り換えて、給湯配管６５から供給される温水Ｉの温度を調整する。常温の水を排出することもできる。
【００８９】
給湯配管６５は、図１に示した浴室１０１のシャワー１０１ａや浴槽１０１ｂ、洗面脱衣所１０２の蛇口１０２ａ及び図示しない台所１０３の蛇口等と接続され、温水Ｉ又は水を供給する。また、浴室１０１に接続される給湯配管６５には、ミスト給湯配管６５ａが接続される。ここに分岐されたミスト給湯配管６５ａには、ミスト発生装置２が接続される。
【００９０】
次に、ヒートポンプ式の給湯装置４の動作例について説明する。給湯装置４では、まず、貯湯タンクユニット５４のタンク６０に、給水配管６３から水が供給される。タンク６０に供給された水は、冷水配管６１ｂによりヒートポンプユニット５３の水熱交換器５６に供給される。
【００９１】
ヒートポンプユニット５３では、ファン５５ａにより空気熱交換器５５に大気が供給され、冷媒配管５７を流れる冷媒ガスとの間で熱交換が行われ、冷媒ガスの温度が上昇する。空気熱交換器５５で熱交換が行われた冷媒ガスは、圧縮機５８で圧縮されることで、温度がさらに上昇する。
【００９２】
そして、圧縮機５８で圧縮されて温度を上昇させた冷媒ガスは、水熱交換器５６に供給される。これにより、水熱交換器５６においては、大気との熱交換及び圧縮により温度が上昇した冷媒ガスと、貯湯タンクユニット５４から供給された水との間で熱交換が行われ、温水Ｉが生成される。この水熱交換器５６で熱交換された冷媒ガスは、膨張弁５９で膨張されて温度が低下し、再度空気熱交換器５５に供給される。
【００９３】
また、水熱交換器５６で熱交換されて生成された温水Ｉは、温水配管６１ａによりタンク６０に戻される。これにより、タンク６０は、上部側が温度が高く、下部側が温度の低い二層化した状態で温水Ｉと水が貯水される。タンク６０に貯水された温水Ｉは、取水配管６２により取水される。ここで、切換弁６２ｃにより、供給温水の温度が高い場合は高温部取水配管６２ａから温水Ｉが取られ、供給温水の温度が低い場合は中温部取水配管６２ｂから温水Ｉを取られる。
【００９４】
取水配管６２により取水された温水Ｉは、分岐給水配管６３ｂから供給される水と給湯混合弁６４で混合される。給湯混合弁６４で温水Ｉと水の混合比を切り換えることで、給湯配管６５から供給される温水Ｉの温度が調整される。もちろん、常温の水を給湯配管６５に送出することもできる。給湯配管６５から供給される温水Ｉ又は水は、浴室１０１、洗面脱衣所１０２及び台所１０３に分配される。これにより、給湯配管６５から分岐されたミスト給湯配管６５ａにより温水Ｉ又は水をミスト発生装置２に供給するようになされる。
【００９５】
＜空調リモコン、ミストリモコン＞
図１０は、ミストリモコン（ミスト操作部）７の操作面の構成例を示す正面図である。図１０に示すミストリモコン７は、入浴ミストモードの運転及び運転停止を選択する入浴ミストボタン７ｂを備えている。このボタン７ｂに対応して、その上部には、当該モードの選択時に発光制御されるＬＥＤ(Light Emitting Diode)等の発光素子７ｂ′が設けられている。また、ミストリモコン７には、入浴ミストモードの運転を停止する運転停止ボタン７ｄが備えられている。運転停止ボタン７ｄの上部には、運転停止中を示す発光素子７ｄ′が設けられている。
【００９６】
図１１は、空調リモコン（主操作部）６の操作面の構成例を示す正面図である。図１１に示す空調リモコン６は、入浴ミストモードの運転及び運転停止を選択する入浴ミストボタン６ｂを有している。入浴ミストボタン６ｂは、上記したミストリモコン７の入浴ミストボタン７ｂに対応したボタンである。このボタン６ｂに対応して、当該モードの選択時に発光制御されるＬＥＤ等の発光素子６ｂ′が設けられている。
【００９７】
また、空調リモコン６は、衣類乾燥モードの運転及び運転停止を選択する衣類乾燥ボタン６ｄと、涼風モードの運転及び運転停止を選択する涼風ボタン６ｅと、暖房モードの運転及び運転停止を選択する暖房ボタン６ｆと、標準換気モードの運転、浴室乾燥モードの運転及びそれらの運転停止を選択する換気ボタン６ｇとを備えている。これらのボタン６ｄ〜６ｇに対応して、例えば運転時に発光制御されるＬＥＤ等の発光素子６ｄ′，６ｅ′，６ｆ′，６g1′，６g2′が設けられている。
【００９８】
また、空調リモコン６は、時刻、浴室温度、運転モード等を表示する、ＬＣＤ（液晶表示素子）やセグメントＬＥＤ等で構成される表示素子６ｉと、タイマの時間設定等を行うためのアップダウンキー６ｊとを備えている。主操作部６で操作され指示される情報は、操作信号Ｓ６となって電源部ユニット２Ｂに出力される。
【００９９】
＜浴室空調装置及びミスト発生装置の制御系＞
図１２は、浴室空調装置３及びミスト発生装置２の制御系の構成例を示すブロック図である。
【０１００】
図１２に示す浴室空調装置３は、ＣＰＵ(Central Processing Unit)を有する制御部５Ａを備えている。上述した空調リモコン６は、電気ケーブル６ａを介して、この浴室空調装置３の制御部５Ａに接続されている。この例で、空調リモコン６から制御部５Ａには、電気ケーブル６ａを介して、操作信号Ｓ６が出力される。制御部５Ａには、上述したように、吸込口３８に対応して取り付けられた、浴室１０１内の温度を検出するための温度検出センサ６９が接続される。温度検出センサ６９から制御部５Ａには、温度検出信号Ｓ６９が出力される。
【０１０１】
この制御部５Ａには、上述したように、浴室空調装置３のフロントパネル２６に取り付けられた人体検出センサ６９Ａが接続される。人体検出センサ６９Ａから制御部５Ａには、人体検出信号Ｓ６９ａが出力される。
【０１０２】
また、この制御部５Ａには、浴室照明スイッチ６９Ｂから、このスイッチがオンされたか否かを示す信号Ｓ６９ｂが供給される。この制御部５Ａから、モータ３６、ダンパモータ４０ｃ、ヒータ部３３及びイオン発生器４４に、動作を制御するための制御信号Ｓ３６、Ｓ４０ｃ、Ｓ３３及びＳ４４が供給される。
【０１０３】
図１２に示す電源部ユニット２Ｂは、電源部２Ｂａと、電磁弁駆動部２Ｂｂと、ＣＰＵを有する制御部２Ｂｃとを備えている。電源部２Ｂａは、家庭用交流電源、例えばＡＣ１００Ｖから、電磁弁を駆動するために使用する２４Ｖの直流電圧、ノズルユニット２Ｃのモータを駆動するための直流電圧等を生成する。
【０１０４】
電源部２Ｂａには電磁弁駆動部２Ｂｂ及び制御部２Ｂｃが接続され、制御部２Ｂｃによる制御の下、電源部２Ｂａで生成される２４Ｖの直流電圧を用いて、電磁弁ユニット２Ａを構成する電磁弁２ｄ，２ｅ，２ｆを駆動する。この場合、電磁弁２ｄ，２ｅ，２ｆは、それぞれ、ＤＣ２４［Ｖ］の駆動電圧が印加されることでバルブが開状態となされる。駆動電圧＝０［Ｖ］で電磁弁２ｄ，２ｅ，２ｆの各々のバルブが閉状態となされる。
【０１０５】
制御部２Ｂｃには、上述したように、電磁弁ユニット２Ａに取り付けられた温度検出センサ２ｈが接続される。この例で、温度検出センサ２ｈから制御部２Ｂｃには温度検出信号Ｓ２ｈが出力される。制御部２Ｂｃには、図示しないタイマが設けられ、ミストサウナ運転開始時に、電磁弁２ｄ及び２ｆによって排水される温水（残水）の排水時間をカウントして経過時間情報を出力する。
【０１０６】
制御部２Ｂｃでは、温度検出信号Ｓ２ｈを入力し、排水温度Ｔ１と噴出設定温度ＴＨとを比較し、排水温度Ｔ１が噴出設定温度ＴＨ以上である場合は、排水設定時間ｔだけ温水Ｉを排出してから電磁弁２ｆを閉じて排水動作を停止する。また、排水温度Ｔ１が噴出設定温度ＴＨ未満である場合は、排水温度Ｔ１が噴出設定温度ＴＨとなるまで、電磁弁２ｆを開いた状態で排水動作を継続し、排水温度Ｔ１が噴出設定温度ＴＨと一致した時点で電磁弁２ｆの排水動作を停止するようになされる。
【０１０７】
上述したミストリモコン７は、電気ケーブル７ａを介して、この電源部ユニット２Ｂの制御部２Ｂｃに接続されている。ミストリモコン７から制御部２Ｂｃには電気ケーブル７ａを介して操作信号Ｓ７ａが出力される。この制御部２Ｂｃは、電磁弁駆動部２Ｂｂの動作を制御し、また電源部２Ｂａで生成される直流電圧を用いて、ノズルユニット２Ｃのノズル２ｍの方向を制御する。
【０１０８】
また、浴室空調装置３の制御部５Ａと電源部ユニット２Ｂの制御部２Ｂｃとは互いに接続され、浴室空調装置３とミスト発生装置２との連係動作が可能となされている。例えば、制御部５Ａから制御部２Ｂｃへ通信制御信号Ｓ５ａを出力して、空調リモコン６で指定された内容に基づいてミストサウナ運転を実行する。反対に、制御部２Ｂｃから制御部５Ａへ通信制御信号Ｓ５ａを出力して、ミストリモコン７で指定された内容に基づいて空調運転を実行するようにしてもよい。
【０１０９】
続いて、浴室ユニット１の動作例について説明する。この例で、浴室ユニット１の動作例に関しては、入浴ミストモード、換気標準モード、浴室乾燥モード、暖房モード、涼風モード及び衣類乾燥モードの６つに分けて説明をする。
【０１１０】
＜入浴ミストモードの動作＞
図１３及び図１４は、この入浴ミストモードの動作例（その１、２）を示すフローチャートである。この例では、ミストリモコン７で、入浴ミストボタン７ｂが押されて入浴ミストオンとされたとき、あるいは空調リモコン６で、入浴ミストボタン６ｂが押されて入浴ミストオンとされたとき、入浴ミストモードとなり、このモードの動作が開始される。なお、入浴ミストオフとなったか、あるいは停止が指示されたときは、ミスト発生装置２に関しては、直ちに排水制御に移行して水抜き処理を行うものである。
【０１１１】
これらを動作条件にして、図１３に示すフローチャートのステップＳＴ１で入浴ミストオンとされることで、動作が開始される。例えば、電源部ユニット２Ｂは、ステップＳＴ２で給湯弁のＯＮ制御を実行する。このとき、制御部２Ｂｃは、電磁駆動部２Ｂｂを介して、電磁弁ユニット２Ａの給湯用の電磁弁２ｄに所定の駆動電圧を印加し、電磁弁２ｄを開くようになされる。
【０１１２】
次に、電源部ユニット２ＢはステップＳＴ３で排水弁のＯＮ制御を実行する。このとき、制御部２Ｂｃは、電磁駆動部２Ｂｂを介して排水用の電磁弁２ｆに所定の駆動電圧を印加し、電磁弁２ｆを開くようになされる（図２参照）。給湯装置４から給水配管２ａを通じて供給される温水Ｉは、電磁弁２ｄ及び電磁弁２ｆを介して、ドレン配管２ｃに供給される（図１、図２参照）。
【０１１３】
そして、ステップＳＴ４で制御部２Ｂｃは図示しないタイマをリセットする。このとき、タイマが排水時間ｔ＝０に設定される。タイマは、電磁弁２ｄ及び２ｆによって排水される温水（残水）の排水時間ｔをカウントして経過時間情報を制御部２Ｂｃに出力する。
【０１１４】
また、ステップＳＴ５で制御部２Ｂｃは噴出設定温度ＴＨと排水温度Ｔ１とを比較してその大小（Ｔ１≧ＴＨ、ＴＨ＞Ｔ１）を判別する。このとき、制御部２Ｂｃは温度検出センサ２ｈの検出出力に基づいて、温水Ｉの排水温度Ｔ１が噴出設定温度ＴＨ以上、例えば３５゜以上となったか否か判定される。排水温度Ｔ１が噴出設定温度ＴＨ未満である場合（Ｔ１＜ＴＨ）は、ステップＳＴ６に進む。
【０１１５】
ステップＳＴ６で制御部２Ｂｃは第１の排水設定時間（タイマ設定時間）ｔ１と排水時間ｔとを比較してその経過の有無（ｔ≦ｔ１、ｔ＞ｔ１）を判別する。排水時間ｔが排水設定時間ｔ１以下である場合（ｔ≦ｔ１）は、ステップＳＴ５に戻って排水温度Ｔ１の検出（監視）を継続する。これにより、ミストサウナ運転開始時、排水温度Ｔ１が噴出設定温度ＴＨならば数秒間だけ排水してから停止できるようになる。なお、排水時間ｔが排水設定時間ｔ１を越える場合（ｔ＞ｔ１）は、排水温度Ｔ１が噴出設定温度ＴＨに上昇しないので、ステップＳＴ１６に移して、エラールーチンを実行する。このルーチンでは、給湯系統の故障等を警報したり、故障原因を図示しないＬＣＤやＬＥＤ等に表示するようになされる。
【０１１６】
上述のステップＳＴ５で排水温度Ｔ１が排水設定時間ｔ１以内に噴出設定温度ＴＨ以上となった場合（Ｔ１≧ＴＨ）は、ステップＳＴ７に進む。ステップＳＴ７で、制御部２Ｂｃは第２の排水設定時間（タイマ設定時間）ｔ２と排水時間ｔとを比較してその経過の有無（ｔ≦ｔ２、ｔ＞ｔ２）を判別する。排水時間ｔが排水設定時間ｔ２以下である場合（ｔ≦ｔ２）は、ステップＳＴ８に移行してタイマをリセットする。このとき、タイマが排水時間ｔ＝０に設定される。その後、ステップＳＴ９に移行して制御部２Ｂｃは第３の排水設定時間ｔ３を待った後に、ステップＳＴ１０へ移行する。
【０１１７】
また、上述のステップＳＴ７で、排水設定時間ｔ２と排水時間ｔとの関係が、ｔ＞ｔ２となる場合は、ステップＳＴ１０に移行する。ステップＳＴ１０で制御部２Ｂｃは、ミスト弁をＯＮ制御して、ミスト発生処理を実行する。このとき、制御部２Ｂｃは、電磁駆動部２Ｂｂを介してミストユニット用の電磁弁２ｅに所定の駆動電圧を印加し、電磁弁２ｅを開くようになされる。電磁弁２ｅが開かれることで、給湯装置４から給水配管２ａで供給される温水Ｉは、電磁弁２ｄ及び電磁弁２ｅを介して、ノズル配管２ｂに供給される（図１〜図３Ｂ参照）。このように、電磁弁ユニット２Ａに供給される温水Ｉの温度が噴出設定温度ＴＨ以上に上昇した後に、ミスト発生処理が行われることで、浴室１０１中に存在する人が、ミストによって肌寒さを感じないようになる。
【０１１８】
その後、ステップＳＴ１１で制御部２Ｂｃは、排水弁のＯＦＦ制御を実行する。このとき、電磁弁ユニット２Ａにおいて、電磁弁２ｆが閉じられる。次に、ステップＳＴ１２で、入浴ミストボタン７ｂ又は６ｂが押されて入浴ミストオフとなったか、あるいは運転停止ボタン７ｄが押されて停止が指示されたか否かが判定される。入浴ミストオフとなったか、あるいは停止が指示されたときは、ステップＳＴ１３に進む。
【０１１９】
ステップＳＴ１３で制御部２Ｂｃは排水制御を実行して水抜き処理がなされる。この場合、電磁弁ユニット２Ａにおいて、給湯用の電磁弁２ｄが閉じられ、排水用の電磁弁２ｆが開かれる（図４Ａ参照）。これにより、ノズル配管２ｂに残っている温水Ｉは、電磁弁２ｅ及び２ｆを介して、ドレン配管２ｃに排水される。このとき、電磁弁２ｅは開いたままなので、接続管２ｂ′を通じて空気IIIを電磁弁２ｅ、配管２ｊ及び２ｋの内部に取り込むようになる。これにより、接続管２ｂ′、電磁弁２ｅ、配管２ｊ及び２ｋ内の残水（温水）IIを電磁弁２ｆを通じてドレンパン１０１ｃへ排出することができる。（図１、図４Ａ参照）。
【０１２０】
そして、ステップＳＴ１４で、水抜き処理に必要な所定時間、例えばｔ＝３秒が経過したか否かが判定される。所定時間が経過したときは、ステップＳＴ１５に進む。このステップＳＴ１５では、停止処理が行われる。この場合、電磁弁ユニット２Ａにおいて、電磁弁２ｅ及び電磁弁２ｆが閉じられる（図４Ｂ参照）。なおこのとき、ノズルユニット２Ｃも制御され、ノズル２ｍの向きが元の位置に戻される。この停止処理によって、ステップＳＴ１６で、入浴ミストモードの一連の動作が終了する。
【０１２１】
＜換気標準モードの動作＞
図１５は、換気標準モードの動作例を示すフローチャートである。この例では、空調リモコン６で、換気ボタン６ｇが押されて換気標準オンとされたとき、換気標準モードとなり、このモードの動作が開始される。例えば、図１５に示すフローチャートのステップＳＴ５１では、換気標準オンとされることで、動作が開始される。
【０１２２】
次に、ステップＳＴ５２で、浴室空調装置３のモータ３６に通電され、ファン３５が回転される。この場合、ダンパ４０を全開、つまり換気位置（図８Ｂ参照）とされる。
【０１２３】
この場合、ファン部３２において吸込口３８から排気口４２への換気風路４３ｂが形成されるので、吸込口３８から吸い込まれた空気は、換気風路４３ｂ及び排気口４２を通り、さらに、図１に示した排気ダクト８を通って排気グリル８ａから屋外へ排気される（換気運転）。これにより、浴室１０１内の湯気や湿気が排気される。
【０１２４】
次に、ステップＳＴ５３で、タイマ設定時間が経過したか否かが判定される。このタイマ設定時間は、例えば空調リモコン６のアップダウンキー６ｊによりユーザが任意に設定できる。設定時間が経過したときは、ステップＳＴ５４で、浴室空調装置３のファン換気運転の動作が停止され、その後に、ステップＳＴ５５で、換気標準モードの一連の動作が終了する。
【０１２５】
＜浴室乾燥モードの動作＞
図１６は、浴室乾燥モードの動作例を示すフローチャートである。この例では、空調リモコン６で、換気ボタン６ｇが押されて浴室乾燥オンとされるとき、浴室乾燥モードとなり、このモードの動作が開始される。例えば、図１６に示すフローチャートのステップＳＴ８１では、浴室乾燥オンとされることで、動作が開始される。
【０１２６】
次に、ステップＳＴ８２で、浴室空調装置３のモータ３６に通電され、ファン３５が回転される。この場合、ダンパ４０は、循環位置と換気位置の中間位置、つまり循環換気位置（図８Ｃ参照）とされる。
【０１２７】
この場合、ファン部３２において吸込口３８から吹出口４１への循環風路４３ａ及び吸込口３８から排気口４２への換気風路４３ｂの双方が形成されるので、吸込口３８から吸い込まれた空気は、一部は循環風路４３ａを通り吹出口４１からフロントパネル２６の吹出グリル４６を介して浴室１０１内に吹き出され、その他は換気風路４３ｂ及び排気口４２を通り、さらに、図１に示した排気ダクト８を通って排気グリル８ａから屋外へ排気される（循環換気運転）。これにより、浴室１０１内の空気を循環させながら、浴室１０１内の湯気や湿気が排気される。
【０１２８】
また、このステップＳＴ８２で、イオン発生器４４から前述の正イオンと負イオンが発生される。このように、循環換気運転が行われている状態で、浴室１０１内に正イオンと負イオンが放出されるので、浴室１０１の内壁、床面のカビの発生を抑制できる。
【０１２９】
次に、ステップＳＴ８３で、タイマ設定時間が経過したか否かが判定される。このタイマ設定時間は、例えば空調リモコン６のアップダウンキー６ｊによりユーザが任意に設定できる。設定時間が経過したときは、ステップＳＴ８４で、浴室空調装置３の循環換気運転、イオン発生の動作が停止され、その後に、ステップＳＴ８５で、浴室乾燥モードの一連の動作が終了する。
【０１３０】
＜暖房モードの動作＞
図１７は、暖房モードの動作例を示すフローチャートである。この例では、空調リモコン６で、暖房ボタン６ｆが押されて暖房オンとされるとき、暖房モードとなり、このモードの動作が開始される。例えば、図１７に示すフローチャートのステップＳＴ９１では、暖房オンとされることで、動作が開始される。
【０１３１】
次に、ステップＳＴ９２で、浴室空調装置３のヒータ部３３に通電され、このヒータ部３３が加熱される。また、浴室空調装置３のモータ３６に通電され、ファン３５が回転される。この場合、ダンパ４０は全閉、つまり循環位置（図８Ａ参照）とされる。
【０１３２】
この場合、ファン部３２において吸込口３８から吹出口４１への循環風路４３ａが形成されるので、吸込口３８から吸い込まれた空気は、循環風路４３ａを通り、ヒータ部３３で暖められて、吹出口４１からフロントパネル２６の吹出グリル４６を介して浴室１０１内に吹き出される（循環運転）。これにより、浴室１０１内が暖められる。
【０１３３】
次に、ステップＳＴ９３で、タイマ設定時間が経過したか否かが判定される。このタイマ設定時間は、例えば空調リモコン６のアップダウンキー６ｊによりユーザが任意に設定できる。設定時間が経過したときは、ステップＳＴ９４で、浴室空調装置３の動作が停止される。すなわち、浴室空調装置３のヒータ部３３及びモータ３６への通電が止められる。その後に、ステップＳＴ９５で、暖房モードの一連の動作が終了する。
【０１３４】
＜涼風モードの動作＞
図１８は、涼風モードの動作例を示すフローチャートである。この例では、空調リモコン６で、涼風ボタン６ｅが押されて涼風オンとされるとき、涼風モードとなり、このモードの動作が開始される。例えば、図１８に示すフローチャートのステップＳＴ１１１では、涼風オンとされることで、動作が開始される。
【０１３５】
次に、ステップＳＴ１１２で、浴室空調装置３のモータ３６に通電され、ファン３５が回転される。この場合、ダンパ４０は、循環位置と換気位置の中間位置、つまり循環換気位置（図８Ｃ参照）とされる。
【０１３６】
この場合、ファン部３２において吸込口３８から吹出口４１への循環風路４３ａ及び吸込口３８から排気口４２への換気風路４３ｂの双方が形成されるので、吸込口３８から吸い込まれた空気は、一部は循環風路４３ａを通り吹出口４１からフロントパネル２６の吹出グリル４６を介して浴室１０１内に吹き出され、その他は換気風路４３ｂ及び排気口４２を通り、さらに、図１に示した排気ダクト８を通って排気グリル８ａから屋外へ排気される（循環換気運転）。これにより、浴室１０１内の空気を循環させながら、浴室１０１内の湯気や湿気が排気される。
【０１３７】
次に、ステップＳＴ１１３で、タイマ設定時間が経過したか否かが判定される。このタイマ設定時間は、例えば空調リモコン６のアップダウンキー６ｊによりユーザが任意に設定できる。設定時間が経過したときは、ステップＳＴ１１４で、浴室空調装置３の循環換気運転の動作が停止され、その後に、ステップＳＴ１１５で、涼風モードの一連の動作が終了する。
【０１３８】
＜衣類乾燥モードの動作＞
図１９は、衣類乾燥モードの動作例を示すフローチャートである。この例では、空調リモコン６で、衣類乾燥ボタン６ｄが押されて衣類乾燥オンとされるとき、衣類乾燥モードとなり、このモードの動作が開始される。例えば、図１９に示すフローチャートのステップＳＴ１３１では、衣類乾燥オンとされることで、動作が開始される。
【０１３９】
次に、ステップＳＴ１３２で、浴室空調装置３のヒータ部３３に通電され、このヒータ部３３が加熱される。また、浴室空調装置３のモータ３６に通電され、ファン３５が回転される。この場合、ダンパ４０は、循環位置と換気位置の中間位置、つまり循環換気位置（図８Ｃ参照）とされる。
【０１４０】
この場合、ファン部３２において吸込口３８から吹出口４１への循環風路４３ａ及び吸込口３８から排気口４２への換気風路４３ｂの双方が形成される。吸込口３８から吸い込まれた空気は、一部は循環風路４３ａを通り、ヒータ部３３で暖められて、吹出口４１からフロントパネル２６の吹出グリル４６を介して浴室１０１内に吹き出され、その他は換気風路４３ｂ及び排気口４２を通り、さらに、図１に示した排気ダクト８を通って排気グリル８ａから屋外へ排気される（循環換気運転）。これにより、浴室１０１内の空気を循環させながら、浴室１０１内の湿気が排気され、衣類の乾燥が行われる。
【０１４１】
次に、ステップＳＴ１３３で、タイマ設定時間が経過したか否かが判定される。このタイマ設定時間は、例えば空調リモコン６のアップダウンキー６ｊによりユーザが任意に設定できる。設定時間が経過したときは、ステップＳＴ１３４で、浴室空調装置３の循環換気運転の動作が停止され、その後に、ステップＳＴ１３５で、衣類乾燥モードの一連の動作が終了する。
【０１４２】
このように、第１の実施例としてのミスト発生装置を応用した浴室ユニット１によれば、ミストサウナ運転開始時に、電源部ユニット２Ｂは、温度センサ２ｈから出力される温度検出信号Ｓ２ｈ、予め設定された排水設定時間ｔ１，ｔ２、ｔ３及び噴出設定温度ＴＨに基づいて電磁弁２ｆの排水動作を制御するようになされる。
【０１４３】
この例では、ステップＳＴ６で排水設定時間ｔ１だけ温水Ｉを排出し、ステップＳＴ５で排水温度Ｔ１が噴出設定温度ＴＨ以上となった場合は、ステップＳＴ７で排水時間ｔが排水設定時間ｔ２を越える場合に、ステップＳＴ１０で電磁弁２ｅを開いた後に、ステップＳＴ１１で電磁弁２ｆの排水動作を停止するようになされる。
【０１４４】
また、ステップＳＴ５で排水温度Ｔ１が噴出設定温度ＴＨ未満である場合は、排水温度Ｔ１が噴出設定温度ＴＨとなるまで、ステップＳＴ６で電磁弁２ｆを開いた状態で排水動作を継続し、ステップＳＴ５で、排水温度Ｔ１が噴出設定温度ＴＨと一致し、その後、ステップＳＴ７で排水時間ｔが排水設定時間ｔ２を越える場合に、ステップＳＴ１０で電磁弁２ｅを開いた後に、ステップＳＴ１１で電磁弁２ｆの排水動作を停止するようになされる。
【０１４５】
さらに、ステップＳＴ５で、排水温度Ｔ１が噴出設定温度ＴＨと一致し、その後、ステップＳＴ７で排水時間ｔが排水設定時間ｔ２以下となる場合は、ステップＳＴ８でタイマをリセットし、ステップＳＴ９で第３の排水設定時間ｔ３を待って、ステップＳＴ１０で電磁弁２ｅを開いた後に、ステップＳＴ１１で電磁弁２ｆの排水動作を停止するようになされる。
【０１４６】
このように、ミストサウナ運転開始時の立ち上がり排水運転に関して、電源部ユニット２Ｂは、排水温度Ｔ１が噴出設定温度ＴＨ以上である場合は、配管内温水Ｉの排出量を残水排出時よりも、少なくする温水排出運転を実行する。排水温度Ｔ１が噴出設定温度ＴＨ未満である場合は、配管内残水の排出量を温水排出時よりも多くする残水排出運転を実行する。
【０１４７】
従って、配管内の水が冷たい場合も暖かい場合も、残水等の水の排出運転を排水設定時間ｔ１，ｔ２，ｔ３と温水排出量の両面で効率良く制御できるようになる。これにより、１日のうち最初にミストに入る人も、最初の人に続いて直ぐにミストに入る二番目の人も、噴出設定温度ＴＨ以上の温水を浴びることができる。このように、ミスト発生装置２の使用間隔が長くなった場合も、当該ミスト発生装置２を連続使用する場合も、常に、噴出設定温度の温水Ｉを噴出できるようになる。
【実施例２】
【０１４８】
図２０及び図２１は、第２の実施例としての浴室ユニット１にける入浴ミストモード時の動作例（その１、２）を示すフローチャートである。
【０１４９】
＜入浴ミストモードの動作＞
この例では、ミストリモコン７で、入浴ミストボタン７ｂが押されて入浴ミストオンとされたとき、あるいは空調リモコン６で、入浴ミストボタン６ｂが押されて入浴ミストオンとされたとき、入浴ミストモードとなり、このモードの動作が開始される。また、排水制御に先だって浴室空調処理を実行する場合を例に挙げる。なお、入浴ミストオフとなったか、あるいは停止が指示されたときは、ミスト発生装置２に関しては、直ちに排水制御に移行して水抜き処理を行うものである。
【０１５０】
これらを動作条件にして、図２０に示すフローチャートのステップＳＴ２１で入浴ミストオンとされることで、動作が開始される。例えば、電源部ユニット２Ｂは、ステップＳＴ２２で浴室空調装置３のヒータ部３３が通電され、このヒータ部３３が加熱される。また、浴室空調装置３のモータ３６が通電され、ファン３５が回転する。この場合、ダンパ４０は全閉、つまり循環位置（図８Ａ参照）とされる。
【０１５１】
このとき、ファン部３２において吸込口３８から吹出口４１への循環風路４３ａが形成されるので、吸込口３８から吸い込まれた空気は、循環風路４３ａを通り、ヒータ部３３で暖められて、吹出口４１からフロントパネル２６の吹出グリル４６を介して浴室１０１内に吹き出される。また、ノズルユニット２Ｃが制御され、ノズル２ｍが浴槽１０１ｂ側に向くように回動される。これにより、人の頭にミストがかからないようにされる。
【０１５２】
次に、ステップＳＴ２３に移行して制御部２Ｂｃは、給湯弁のＯＮ制御を実行する。このとき、制御部２Ｂｃは、電磁駆動部２Ｂｂを介して、電磁弁ユニット２Ａの給湯用の電磁弁２ｄに所定の駆動電圧を印加し、電磁弁２ｄを開くようになされる。
【０１５３】
次に、電源部ユニット２ＢはステップＳＴ２４で排水弁のＯＮ制御を実行する。このとき、制御部２Ｂｃは、電磁駆動部２Ｂｂを介して排水用の電磁弁２ｆに所定の駆動電圧を印加し、電磁弁２ｆを開くようになされる（図２参照）。給湯装置４から給水配管２ａを通じて供給される温水Ｉは、電磁弁２ｄ及び電磁弁２ｆを介して、ドレン配管２ｃに供給される（図１、図２参照）。
【０１５４】
そして、ステップＳＴ２５で制御部２Ｂｃは図示しないタイマをリセットする。このとき、タイマが排水時間ｔ＝０に設定される。タイマは、電磁弁２ｄ及び２ｆによって排水される温水（残水）の排水時間ｔをカウントして経過時間情報を制御部２Ｂｃに出力する。
【０１５５】
また、ステップＳＴ２６で制御部２Ｂｃは噴出設定温度ＴＨと排水温度Ｔ１とを比較してその大小（Ｔ１≧ＴＨ、ＴＨ＞Ｔ１）を判別する。このとき、制御部２Ｂｃは温度検出センサ２ｈの検出出力に基づいて、温水Ｉの排水温度Ｔ１が噴出設定温度ＴＨ以上、例えば３５゜以上となったか否か判定される。排水温度Ｔ１が噴出設定温度ＴＨ未満である場合（Ｔ１＜ＴＨ）は、ステップＳＴ２６に進む。
【０１５６】
ステップＳＴ２７で制御部２Ｂｃは第１の排水設定時間（タイマ設定時間）ｔ１と排水時間ｔとを比較してその経過の有無（ｔ≦ｔ１、ｔ＞ｔ１）を判別する。排水時間ｔが排水設定時間ｔ１以下である場合（ｔ≦ｔ１）は、ステップＳＴ２６に戻って排水温度Ｔ１の検出（監視）を継続する。なお、排水時間ｔが排水設定時間ｔ１を越える場合（ｔ＞ｔ１）は、排水温度Ｔ１が噴出設定温度ＴＨに上昇しないので、ステップＳＴ３８に移して、エラールーチンを実行する。このルーチンでは、給湯系統の故障等を警報したり、故障原因を図示しないＬＣＤ等に表示するようになされる。
【０１５７】
上述のステップＳＴ２６で排水温度Ｔ１が排水設定時間ｔ１以内に噴出設定温度ＴＨ以上となった場合（Ｔ１≧ＴＨ）は、ステップＳＴ２８に進む。ステップＳＴ２８で、制御部２Ｂｃ排水設定時間（タイマ設定時間）ｔ２と排水時間ｔとを比較してその経過の有無（ｔ≦ｔ２、ｔ＞ｔ２）を判別する。排水時間ｔが排水設定時間ｔ２以下である場合（ｔ≦ｔ２）は、ステップＳＴ２９に移行してタイマをリセットする。このとき、タイマが排水時間ｔ＝０に設定される。その後、ステップＳＴ３０に移行して制御部２Ｂｃは第３の排水設定時間ｔ３を待った後に、ステップＳＴ３１へ移行する。
【０１５８】
また、上述のステップＳＴ２８で、排水設定時間ｔ２と排水時間ｔとの関係が、ｔ＞ｔ２となる場合は、ステップＳＴ３１に移行する。ステップＳＴ３１で制御部２Ｂｃは、ミスト弁をＯＮ制御して、ミスト発生処理を実行する。このとき、制御部２Ｂｃは、電磁駆動部２Ｂｂを介してミストユニット用の電磁弁２ｅに所定の駆動電圧を印加し、電磁弁２ｅを開くようになされる。電磁弁２ｅが開かれることで、給湯装置４から給水配管２ａで供給される温水Ｉは、電磁弁２ｄ及び電磁弁２ｅを介して、ノズル配管２ｂに供給される（図１〜図３Ｂ参照）。このように、電磁弁ユニット２Ａに供給される温水Ｉの温度が噴出設定温度ＴＨ以上に上昇した後に、ミスト発生処理が行われることで、浴室１０１中に存在する人が、ミストによって肌寒さを感じないようになる。
【０１５９】
その後、ステップＳＴ３２で制御部２Ｂｃは、排水弁のＯＦＦ制御を実行する。このとき、電磁弁ユニット２Ａにおいて、電磁弁２ｆが閉じられる。次に、ステップＳＴ３３で、入浴ミストボタン７ｂ又は６ｂが押されて入浴ミストオフとなったか、あるいは運転停止ボタン７ｄが押されて停止が指示されたか否かが判定される。入浴ミストオフとなったか、あるいは停止が指示されたときは、ステップＳＴ３４に進む。
【０１６０】
ステップＳＴ３４では、浴室空調装置３の動作が停止される。すなわち、浴室空調装置３のヒータ部３３及びモータ３６への通電が止められる。その後、ステップＳＴ３５で制御部２Ｂｃは排水制御を実行して水抜き処理がなされる。この場合、電磁弁ユニット２Ａにおいて、給湯用の電磁弁２ｄが閉じられ、排水用の電磁弁２ｆが開かれる（図４Ａ参照）。これにより、ノズル配管２ｂに残っている温水Ｉは、電磁弁２ｅ及び２ｆを介して、ドレン配管２ｃに排水される。このとき、電磁弁２ｅは開いたままなので、接続管２ｂ′を通じて空気IIIを電磁弁２ｅ、配管２ｊ及び２ｋの内部に取り込むようになる。これにより、接続管２ｂ′、電磁弁２ｅ、配管２ｊ及び２ｋ内の残水（温水）IIを電磁弁２ｆを通じてドレンパン１０１ｃへ排出することができる。（図１、図４Ａ参照）。
【０１６１】
そして、ステップＳＴ３６で、水抜き処理に必要な所定時間、例えばｔ＝３秒が経過したか否かが判定される。所定時間が経過したときは、ステップＳＴ３７に進む。このステップＳＴ３７では、停止処理が行われる。この場合、電磁弁ユニット２Ａにおいて、電磁弁２ｅ及び電磁弁２ｆが閉じられる（図４Ｂ参照）。なおこのとき、ノズルユニット２Ｃも制御され、ノズル２ｍの向きが元の位置に戻される。この停止処理によって、ステップＳＴ３９で、入浴ミストモードの一連の動作が終了する。
【０１６２】
このように、第２の実施例として浴室ユニット１における入浴ミストモード時の動作例によれば、ミストサウナ運転開始時に、ステップＳＴ２２で浴室空調処理がなされ、浴室１０１内の温度が上昇され、浴室１０１内が循環換気等された状態で、電源部ユニット２Ｂが、温度センサ２ｈから出力される温度検出信号Ｓ２ｈ、予め設定された排水設定時間ｔ１，ｔ２、ｔ３及び噴出設定温度ＴＨに基づいて電磁弁２ｆの排水動作を制御するようになされる。
【０１６３】
この例では、ステップＳＴ２７で排水設定時間ｔ１だけ温水Ｉを排出し、ステップＳＴ２６で排水温度Ｔ１が噴出設定温度ＴＨ以上となった場合は、ステップＳＴ２８で排水時間ｔが排水設定時間ｔ２を越える場合に、ステップＳＴ３１で電磁弁２ｅを開いた後に、ステップＳＴ３２で電磁弁２ｆの排水動作を停止するようになされる。
【０１６４】
また、ステップＳＴ２６で排水温度Ｔ１が噴出設定温度ＴＨ未満である場合は、排水温度Ｔ１が噴出設定温度ＴＨとなるまで、ステップＳＴ２７で電磁弁２ｆを開いた状態で排水動作を継続し、ステップＳＴ２６で、排水温度Ｔ１が噴出設定温度ＴＨと一致し、その後、ステップＳＴ２８で排水時間ｔが排水設定時間ｔ２を越える場合に、ステップＳＴ１３１で電磁弁２ｅを開いた後に、ステップＳＴ３２で電磁弁２ｆの排水動作を停止するようになされる。
【０１６５】
さらに、ステップＳＴ２６で、排水温度Ｔ１が噴出設定温度ＴＨと一致し、その後、ステップＳＴ２８で排水時間ｔが排水設定時間ｔ２以下となる場合は、ステップＳＴ２９でタイマをリセットし、ステップＳＴ３０で第３の排水設定時間ｔ３を待って、ステップＳＴ３１で電磁弁２ｅを開いた後に、ステップＳＴ３２で電磁弁２ｆの排水動作を停止するようになされる。
【０１６６】
このように、ミストサウナ運転開始時の立ち上がり排水運転に関して、浴室空調処理を実行しながら、電源部ユニット２Ｂは、排水温度Ｔ１が噴出設定温度ＴＨ以上である場合は、配管内温水Ｉの排出量を残水排出時よりも、少なくする温水排出運転を実行する。排水温度Ｔ１が噴出設定温度ＴＨ未満である場合は、配管内残水の排出量を温水排出時よりも多くする残水排出運転を実行する。
【０１６７】
従って、配管内の水が冷たい場合も暖かい場合も、第１の実施例に比べて、残水又は温水Ｉの排出運転を排水設定時間ｔ１，ｔ２，ｔ３と温水排出量の両面で効率良く制御できるようになる。これにより、１日のうち最初にミストに入る人も、最初の人に続いて直ぐにミストに入る二番目の人も、噴出設定温度ＴＨ以上の温水を浴びることができる。
【実施例３】
【０１６８】
図２２は、第３の実施例として電動・電磁弁ユニット２０１の構成例を示す正面図である。図２２に示す電動・電磁弁ユニット２０１は筐体２Ａ′を有している。この例で、筐体２Ａ′の一側面を開放すると、電磁弁ユニット内の電磁弁及び電動弁の配置が見られる構成となされている。
【０１６９】
筐体２Ａ′には、第１の実施例で説明した給湯配管２ａを接続するための接続部２ａ′と、同様にノズル配管２ｂを接続するための接続部２ｂ′と、ドレン配管２ｃを接続するための接続部２ｃ′とが取り付けられて固定されている。
【０１７０】
この例で、筐体２Ａ′の内側において、接続部２ａ′には給湯弁の一例となる給湯用の電磁弁２ｄが取り付けられ、給湯装置４からの温水を供給制御（ＯＮ−ＯＦＦ）するようになされる。この電磁弁２ｄから分岐された一方の配管２ｊには、噴出弁の一例となるミストユニット用の電磁弁２ｅが取り付けられ、温水をノズルユニット２Ｃへ供給制御（ＯＮ−ＯＦＦ）するようになされる。電磁弁２ｅの下流側（他端）は接続部２ｂ′に取り付けられる。
【０１７１】
電磁弁２ｅよりも低い位置には、流量可変型の電動弁２ｇが配設されると共に、電磁弁２ｄから分岐された他方の配管２ｋに取り付けられ、温水や残水の排出流量を調整して排水するようになされる。電動弁２ｇの下流側（他端）は接続部２ｃ′に取り付けられる。つまり、接続部２ａ′には電磁弁２ｄの一端が接続され、この電磁弁２ｄの他端には配管２ｊを介して電磁弁２ｅの一端が接続される。この電磁弁２ｅの他端は接続部２ｂ′に接続される。さらに、配管２ｊから分岐された配管２ｋは、電動弁２ｇの一端に接続され、この電動弁２ｇの他端には接続部２ｃ′が接続される。
【０１７２】
上述の電動・電磁弁ユニット２０１の内部には、電磁弁２ｄ，２ｅ，２ｆの他に、温度検出センサ２ｈが配されている。温度検出センサ２ｈは、例えば、配管２ｊに取り付けられており、電磁弁２ｄを通過した後の配管２ｊを流れる水（温水）の温度を検出して温度検出信号Ｓ２ｈを出力するようになされる。この例では、ミストサウナ運転開始時、電動弁２ｇの排出量調整動作に伴う排水温度Ｔ１が検出されて温度検出信号Ｓ２ｈ（温度検出情報）が温度センサ２ｈから図示しない電源部ユニット３０１へ出力される。
【０１７３】
図２３Ａ及びＢは、電磁弁２ｄ等の構成例を示す上面図及び一部破砕の正面図である。図２３Ａに示す電磁弁２ｄは所定形状を成した本体部２１１を有している。本体部２１１の一方には給水口２１２が設けられ、上述した接続部２ａ’に係合される。本体部２１１の他方には排水口２１３が設けられ、上述した配管２ｊに接続される。
【０１７４】
図２３Ｂにおいて、本体部２１１内には、所定の開口部２１４を有した仕切室２１５が設けられる。仕切室２１５の開口部２１４を蓋するように制水バルブ２１６が上下に駆動可能なように配置されている。制水バルブ２１６は上下に心棒２１７が設けられ、コマ状を有している。制水バルブ２１６はゴム素材から成る。制水バルブ２１６の下部心棒２１７ｂは、ガイド穴２１８に係合され、上部心棒２１７ａは、ソレノイド２１９のコイル磁軸に挿入可能なように配置されている。ソレノイド２１９は、水密性を保持して仕切室２１５の上方に設けられる。
【０１７５】
ソレノイド側の所定部位と、制水バルブ２１６との間には押付けバネ２２１が配置され、ソレノイド２１９が動作しないときに、開口部２１４を蓋するために、常に、制水バルブ２１６を開口方向に押下するように付勢される。本体部２１１には端子２２０が設けられる。端子２２０はソレノイド２１９に接続され、電磁弁２ｆを駆動するための駆動電圧が印加される。
【０１７６】
このように電磁弁２ｄが構成され、端子２２０に駆動電圧を印加すると、ソレノイド２１９が押付けバネ２２１の付勢力に打ち勝つ吸引力を発生し、制水バルブ２１６の上部心棒２１７ａを上部に引き上げることで、開口部２１４の蓋が外れるように、制水バルブ２１６が上方向に移動し、流水路を開くようになされる。駆動電圧を０［Ｖ］とすると、押付けバネ２２１が、常に、制水バルブ２１６を開口方向に押下するので、流水路を閉じるようになされる。
【０１７７】
図２４Ａ及びＢは、電動弁２ｇ等の構成例を示す上面図及び一部破砕の正面図である。図２４Ａに示す電動弁２ｇは所定形状を成した本体部４１１を有している。本体部４１１の一方には給水口４１２が設けられ、上述した接続部２ａ’に係合される。本体部４１１の他方には排水口４１３が設けられ、上述した配管２ｊに接続される。
【０１７８】
図２４Ｂにおいて、本体部４１１内には、図示しない開口部を有した仕切室４１５が設けられる。仕切室４１５の開口部を貫くように針状弁４１６が上下に駆動可能なように配置されている。針状弁４１６の一端は上下に移動可能な弁軸４１７ａに係合されている。針状弁４１６の他端は円錐状を成している。針状弁４１６は金属素材から成る。針状弁４１６の下部は、図示しない逆円錐状の開口部に係合されている。弁軸４１７ａは、ステッピングモータ４１９の回転子４１４に係合されている。弁軸４１７ａの外側には雄ねじが施され、回転子４１４の内側に施された雌ねじと係合される。ステッピングモータ４１９は、図示しない固定子用の電磁コイルを有し、水密性を保持して仕切室４１５の上方に設けられる。
【０１７９】
端子４２０はステッピングモータ４１９に接続され、電動弁２ｇを回転駆動するための駆動電圧が印加される。このように電動弁２ｇが構成され、端子４２０に駆動電圧を印加すると、ステッピングモータ４１９が回転子４１４を回転することで、弁軸４１７ａの外側の雄ねじ回転子４１４の内側の雌ねじとが螺合（作用）して、弁軸４１７ａに係合された円錐状の針状弁４１６が逆円錐状の開口部から上方へ抜けるようになる。逆の駆動電圧を印加すると、針状弁４１６が円錐状の針状弁４１６が逆円錐状の開口部へ回転しながら移動するようになる。その移動量は流水量に比例する。これにより、温水流量を調整するようになされる。  図２５Ａ〜Ｃは、電動・電磁弁ユニット２０１のミストサウナ運転停止時の動作例を示す線図である。図２５Ａに示す電動・電磁弁ユニット２０１では、ミストサウナ運転停止直前の状態であって、当該電磁弁ユニット内の電磁弁２ｄ及び２ｅが開いた状態となっている。電動弁２ｇは全閉状態となっている。つまり、この状態はミストサウナ運転中の状態である。
【０１８０】
図２５Ｂに示す電動・電磁弁ユニット２０１によれば、ミストサウナ運転停止後の排水制御において、電源部ユニット３０１の制御を受けて、当該電磁弁ユニット内の給湯用の電磁弁２ｄが開いた状態で、ミストユニット用の電磁弁２ｅが閉じた状態に制御され、かつ、電動弁２ｇが温水の排水量を調整して排水するようになる。この制御では、給湯配管２ａ（図１参照）からの温水Ｉが接続部２ａ′から電磁弁２ｄ及び配管２ｋを通じて排水量調整用の電動弁２ｇに供給される場合であって、排水温度Ｔ１が凍結防止設定温度ＴＨ’以上となるように、配管内の温水を排出するようになされる。このとき、電磁弁２ｄを通過した後の配管２ｊを流れる水（温水）の温度が検出され、温度検出センサ２ｈから電源部ユニット３０１へ温度検出信号Ｓ２ｈが出力される。
【０１８１】
電源部ユニット３０１では、温度検出信号Ｓ２ｈを入力し、排水温度Ｔ１と凍結防止設定温度ＴＨ’とを比較し、排水温度Ｔ１が凍結防止設定温度ＴＨ’以下である場合は、予め設定された排水設定時間だけ温水Ｉを排出してから電動弁２ｇを閉じて排水動作を停止する。なお、排水温度Ｔ１が凍結防止設定温度ＴＨ’を越える場合は、排水温度Ｔ１が凍結防止設定温度ＴＨ’以下となるまで、監視を継続する。図２５Ｃに示す電動・電磁弁ユニット２０１によれば、排水温度Ｔ１が凍結防止設定温度ＴＨ’を越える場合は、ミストサウナ運転停止時において、全ての電磁弁２ｄ、２ｅ及び電動弁２ｇを閉じた状態となされる。次のミストサウナ運転を待機するようになされる。このように第１の実施例で説明した電磁弁２ｄをそのままで、電磁弁２ｆ（排水開閉バルブ）を流量調整可能な電動弁２ｇに変更すると、排水目的に応じた排水制御を効率的にできるようになる。
【０１８２】
図２６は、第３の実施例に係る浴室空調装置３及びミスト発生装置２の制御系の構成例を示すブロック図である。
【０１８３】
図２６に示す制御系の構成例によれば、電動・電磁弁ユニット２０１には電源部ユニット３０１が接続される。電源部ユニット３０１は、電源部２Ｂａと、電磁弁駆動部２Ｂｂと、ＣＰＵを有する制御部２Ｂｃとを備えている。電源部２Ｂａは、家庭用交流電源、例えばＡＣ１００Ｖから、電磁弁を駆動するために使用する２４Ｖの直流電圧、ノズルユニット２のモータを駆動するための直流電圧等を生成する。
【０１８４】
電源部２Ｂａには電磁弁駆動部２Ｂｂ及び制御部２Ｂｃが接続され、制御部２Ｂｃによる制御の下、電源部２Ｂａで生成される２４Ｖの直流電圧を用いて、電動・電磁弁ユニット２０１を構成する電磁弁２ｄ，２ｅ及び電動弁２ｇを駆動する。この場合、電磁弁２ｄ，２ｅは、それぞれ、ＤＣ２４［Ｖ］の駆動電圧が印加されることでバルブが開状態となされる。駆動電圧＝０［Ｖ］で電磁弁２ｄ，２ｅの各々のバルブが閉状態となされる。電動弁２ｇは制御部２Ｂｃによって直接制御される。例えば、図２４Ｂに示したステッピングモータ４１９へパルス信号Ｓ２ｇを供給して針状弁４１６の移動量を制御する。これにより、排水量を調整できるようになる。
【０１８５】
制御部２Ｂｃには、電動・電磁弁ユニット２０１の配管２ｊに取り付けられた温度検出センサ２ｈが接続される。この例で、温度検出センサ２ｈから制御部２Ｂｃには温度検出信号Ｓ２ｈが出力される。制御部２Ｂｃでは、温度検出信号Ｓ２ｈを入力し、例えば、排水温度Ｔ１と凍結防止設定温度ＴＨ’とを比較し、排水温度Ｔ１が凍結防止設定温度ＴＨ’以下となる場合は、排水制御を実行する。なお、浴室空調装置３の制御については、第１の実施例と同様であるのでその説明を省略する。
【０１８６】
図２７は、電源部ユニット３０１におけるミストサウナ運転停止中の制御例を示すフローチャートである。  
例えば、ミストサウナ運転停止中に、図２７に示すフローチャートのステップＳＴ４１で制御部２Ｂｃは、排水温度Ｔ１と凍結防止設定温度ＴＨ’とを比較する。このとき、温度検出センサ２ｈは、ミストサウナ運転停止時、電磁弁２ｄに接続された配管２ｊの温度又は配管２ｊに滞在する温水の温度を検出して温度検出信号Ｓ７ｈを出力するようになされる。制御部２Ｂｃは、温度検出信号Ｓ７ｈから排水温度Ｔ１を取得し、予め設定された凍結防止設定温度ＴＨ’と排水温度Ｔ１とを比較し、排水調整制御の有無を判別するようになされる。排水温度Ｔ１が凍結防止設定温度ＴＨ’を越える場合は、排水温度Ｔ１が凍結防止設定温度ＴＨ’以下となるまで、監視が継続される。
【０１８７】
排水温度Ｔ１が凍結防止設定温度ＴＨ’以下となる場合は、ステップＳＴ４２に移行して電源部ユニット３０１は給湯弁をＯＮ制御する。図２５Ｂに示した電動・電磁弁ユニット２０１は、電源部ユニット３０１から所定の駆動電圧を入力し、この駆動電圧に基づいて当該電磁弁ユニット内の給湯用の電磁弁２ｄが開いた状態で、ミストユニット用の電磁弁２ｅが閉じた状態になされる。
【０１８８】
次に、ステップＳＴ４３で制御部２Ｂｃは、排水弁開度を“小”にするように電動弁２ｇを制御する。図２４Ｂに示した電動弁２ｇでは、制御部２Ｂｃから出力されるパルス信号Ｓ２ｇに基づいてステッピングモータ４１９が正回転し、針状弁４１６が温水の排水量を調整して排水するようになされる。これにより、給湯配管２ａ（図１参照）からの温水Ｉが接続部２ａ′から電磁弁２ｄ及び配管２ｋを通じて排水量調整用の電動弁２ｇに供給される場合であって、排水温度Ｔ１が凍結防止設定温度ＴＨ’以上となるように、配管内の温水を排出するようになされる。
【０１８９】
さらに、ステップＳＴ４４に移行して、制御部２Ｂｃは、排水温度Ｔ１と凍結防止設定温度ＴＨ’とを比較する。このとき、温度検出センサ２ｈは、凍結防止運転時、電磁弁２ｄに接続された配管２ｊを流れる温水の温度を検出して温度検出信号Ｓ２ｈを出力するようになされる。制御部２Ｂｃは、温度検出信号Ｓ２ｈから排水温度Ｔ１を取得し、先の凍結防止設定温度ＴＨ’と今回の排水温度Ｔ２とを比較し、排水温度Ｔ２が凍結防止設定温度ＴＨ’を越えたか否かを判別する。排水温度Ｔ２が凍結防止設定温度ＴＨ’以下の場合は、その監視を継続する。これにより、凍結防止設定温度ＴＨ’に至っていないならば、その凍結防止設定温度ＴＨ’に至るまで、排水をし続け、凍結防止設定温度ＴＨ’になったら排水を停止できるようになる。
【０１９０】
排水温度Ｔ２が凍結防止設定温度ＴＨ’を越えた場合、ステップＳＴ４５に移行して給湯弁をＯＦＦ制御する。図２５Ｂに示した電動・電磁弁ユニット２０１では、電源部ユニット３０１から駆動電圧が０［Ｖ」とされることで、電磁弁２ｄが閉じた状態となる。ミストユニット用の電磁弁２ｅは閉じた状態のままである。
【０１９１】
その後、ステップＳＴ４６に移行して制御部２Ｂｃは、排水弁を全閉状態とするように電動弁２ｇを制御する。図２４Ｂに示した電動弁２ｇでは、制御部２Ｂｃから出力されるパルス信号Ｓ２ｐに基づいてステッピングモータ４１９が逆回転し、針状弁４１６が図示しない逆円錐状の開口部に挿入され、排水量＝０、すなわち、全閉状態となされる。その後、ステップＳＴ４１に戻って、制御部２Ｂｃは、排水温度Ｔ１と凍結防止設定温度ＴＨ’とを比較し、上述した処理を繰り返すようになされる。
【０１９２】
このように、第３の実施例としての電源部ユニット３０１におけるミストサウナ運転停止中の制御例によれば、第１の実施例で説明した電磁弁２ｆはそのままで、電磁弁２ｄ（給湯バルブ）を流量調整可能な電動弁２ｐに変更すると、排水目的に応じた排水制御を効率的にできるようになる。しかも、電動弁２ｇの排出量調整動作に伴う排水温度Ｔ１が検出されて温度検出信号Ｓ２ｈ（温度検出情報）が温度センサ２ｈから電源部ユニット３０１へ出力される。電源部ユニット３０１では、温度検出信号Ｓ２ｈに基づいて電動弁２ｇの排出量を調整できるので、小容量の温水で配管凍結を防止できるようになる。
【実施例４】
【０１９３】
図２８は、第４の実施例として電動・電磁弁ユニット２０２の構成例を示す概念図である。  
図２８に示す電動・電磁弁ユニット２０２は筐体２Ａ′を有している。この例で、筐体２Ａ′の一側面を開放すると、電磁弁ユニット内の電磁弁及び電動弁の配置が見られる構成となされている。
【０１９４】
筐体２Ａ′には、第１の実施例で説明した給湯配管２ａを接続するための接続部２ａ′と、同様にノズル配管２ｂを接続するための接続部２ｂ′と、ドレン配管２ｃを接続するための接続部２ｃ′とが取り付けられて固定されている。
【０１９５】
この例で、筐体２Ａ′の内側において、接続部２ａ′には給湯弁の一例となる流量調整用の電動弁２ｐが取り付けられ、給湯装置４からの温水の流量調整制御（流量可変）するようになされる。この電動弁２ｐから分岐された一方の配管２ｊには、噴出弁の一例となるミストユニット用の電磁弁２ｅが取り付けられ、温水をノズルユニット２Ｃへ供給制御（ＯＮ−ＯＦＦ）するようになされる。電磁弁２ｅの下流側（他端）は接続部２ｂ′に取り付けられる。
【０１９６】
電磁弁２ｅよりも低い位置には、排水用の電磁弁２ｆが配設されると共に、電動弁２ｐから分岐された他方の配管２ｋに取り付けられ、温水や残水を排水制御（ＯＮ−ＯＦＦ）するようになされる。電磁弁２ｆの下流側（他端）は接続部２ｃ′に取り付けられる。つまり、接続部２ａ′には電動弁２ｐの一端が接続され、この電動弁２ｐの他端には配管２ｊを介して電磁弁２ｅの一端が接続される。この電磁弁２ｅの他端は接続部２ｂ′に接続される。さらに、配管２ｊから分岐された配管２ｋは、電磁弁２ｆの一端に接続され、この電磁弁２ｆの他端には接続部２ｃ′が接続される。
【０１９７】
上述の電動・電磁弁ユニット２０２の内部には、電動弁２ｐ，電磁弁２ｅ，２ｆの他に、温度検出センサ２ｈが配されている。温度検出センサ２ｈは、例えば、配管２ｊに取り付けられており、電動弁２ｐを通過した後の配管２ｊを流れる水（温水）の温度を検出して温度検出信号Ｓ７ｈを出力するようになされる。この例では、ミストサウナ運転停止時、電磁弁２ｆの排出量調整動作に伴う排水温度Ｔ１が検出されて温度検出信号Ｓ２ｈ（温度検出情報）が温度センサ２ｈから図示しない電源部ユニット３０２へ出力される。
【０１９８】
図２９Ａ〜Ｃは、電動・電磁弁ユニット２０２のミストサウナ運転停止時の動作例を示す線図である。図２９Ａに示す電動・電磁弁ユニット２０２では、ミストサウナ運転停止直前の状態であって、当該電磁弁ユニット内の電動弁２ｐ及び電磁弁２ｅが開いた状態となっている。電磁弁２ｆは全閉状態となっている。つまり、この状態はミストサウナ運転中の状態である。
【０１９９】
図２９Ｂに示す電動・電磁弁ユニット２０２によれば、ミストサウナ運転停止後の排水制御において、電源部ユニット３０２の制御を受けて、当該電磁弁ユニット内の給湯用の電動弁２ｐで開度が調整され温水の排水量が調整され、ミストユニット用の電磁弁２ｅが閉じた状態に制御され、かつ、電磁弁２ｆが開いた状態で排水するようになされる。この制御では、給湯配管２ａ（図１参照）からの温水Ｉが接続部２ａ′から給湯調整用の電動弁２ｐ及び配管２ｋを通じて電磁弁２ｆに供給される場合であって、排水温度Ｔ１が凍結防止設定温度ＴＨ’以上となるように、配管内の温水を排出するようになされる。このとき、電動弁２ｐを通過した後の配管２ｊを流れる水（温水）の温度が検出され、温度検出センサ２ｈから電源部ユニット３０２へ温度検出信号Ｓ２ｈが出力される。
【０２００】
電源部ユニット３０２では、温度検出信号Ｓ２ｈを入力し、排水温度Ｔ１と凍結防止設定温度ＴＨ’とを比較し、排水温度Ｔ１が凍結防止設定温度ＴＨ’以下である場合は、予め設定された排水設定時間だけ温水Ｉを排出してから電磁弁２ｆを閉じて排水動作を停止する。なお、排水温度Ｔ１が凍結防止設定温度ＴＨ’を越える場合は、排水温度Ｔ１が凍結防止設定温度ＴＨ’以下となるまで、監視を継続する。図２９Ｃに示す電動・電磁弁ユニット２０２によれば、排水温度Ｔ１が凍結防止設定温度ＴＨ’を越える場合は、ミストサウナ運転停止時において、電動弁２ｐ、電磁弁２ｅ及び２ｆを閉じた状態となされる。次のミストサウナ運転を待機するようになされる。このように第１の実施例で説明した電磁弁２ｆをそのままで、電磁弁２ｄ（給湯バルブ）を流量調整可能な電動弁２ｐに変更すると、排水目的に応じた排水制御を効率的にできるようになる。
【０２０１】
図３０は、第４の実施例に係る浴室空調装置３及びミスト発生装置２の制御系の構成例を示すブロック図である。
【０２０２】
図３０に示す制御系の構成例によれば、電動・電磁弁ユニット２０２には電源部ユニット３０２が接続される。電源部ユニット３０２は、電源部２Ｂａと、電磁弁駆動部２Ｂｂと、ＣＰＵを有する制御部２Ｂｃとを備えている。電源部２Ｂａは、家庭用交流電源、例えばＡＣ１００Ｖから、電磁弁を駆動するために使用する２４Ｖの直流電圧、ノズルユニット２のモータを駆動するための直流電圧等を生成する。
【０２０３】
電源部２Ｂａには電磁弁駆動部２Ｂｂ及び制御部２Ｂｃが接続され、制御部２Ｂｃによる制御の下、電源部２Ｂａで生成される２４Ｖの直流電圧を用いて、電動・電磁弁ユニット２０２を構成する電動弁２ｐ，電磁弁２ｅ及び２ｆを駆動する。この場合、電磁弁２ｅ及び２ｆは、それぞれ、ＤＣ２４［Ｖ］の駆動電圧が印加されることでバルブが開状態となされる。駆動電圧＝０［Ｖ］で電磁弁２ｅ，２ｆの各々のバルブが閉状態となされる。
電動弁２ｐは制御部２Ｂｃによって直接制御される。例えば、図２４Ｂに示したステッピングモータ４１９へパルス信号Ｓ２ｐを供給して針状弁４１６の移動量を制御する。これにより、温水の給湯量を調整できるようになる。
【０２０４】
制御部２Ｂｃには、電動・電磁弁ユニット２０２の配管２ｊに取り付けられた温度検出センサ２ｈが接続される。この例で、温度検出センサ２ｈから制御部２Ｂｃには温度検出信号Ｓ２ｈが出力される。制御部２Ｂｃでは、温度検出信号Ｓ２ｈを入力し、例えば、排水温度Ｔ１と凍結防止設定温度ＴＨ’とを比較し、排水温度Ｔ１が凍結防止設定温度ＴＨ’以下となる場合は、排水制御を実行する。なお、浴室空調装置３の制御については、第１の実施例と同様であるのでその説明を省略する。
【０２０５】
図３１は、電源部ユニット３０２におけるミストサウナ運転停止中の制御例を示すフローチャートである。  
図３１に示すフローチャートのステップＳＴ６１で制御部２Ｂｃは、排水温度Ｔ１と凍結防止設定温度ＴＨ’とを比較する。このとき、温度検出センサ２ｈは、ミストサウナ運転停止時、電動弁２ｐに接続された配管２ｊの温度又は配管２ｊに滞在する温水の温度を検出して温度検出信号Ｓ２ｈを出力するようになされる。制御部２Ｂｃは、温度検出信号Ｓ７ｈから排水温度Ｔ１を取得し、予め設定された凍結防止設定温度ＴＨ’と排水温度Ｔ１とを比較し、排水調整制御の有無を判別するようになされる。排水温度Ｔ１が凍結防止設定温度ＴＨ’を越える場合は、排水温度Ｔ１が凍結防止設定温度ＴＨ’以下となるまで、監視が継続される。
【０２０６】
排水温度Ｔ１が凍結防止設定温度ＴＨ’以下となる場合は、ステップＳＴ６２に移行して電源部ユニット３０２は給湯弁を流量調整制御する。このとき、図２９Ｂに示した電動・電磁弁ユニット２０２は、給湯弁開度を“小”にするように電動弁２ｐを制御する。図２４Ｂに示した電動弁２ｐでは、制御部２Ｂｃから出力されるパルス信号Ｓ２ｐに基づいてステッピングモータ４１９が正回転し、針状弁４１６が温水の給湯量を調整して温水の供給量を調節するようになされる。
【０２０７】
次に、ステップＳＴ６３で制御部２Ｂｃは、排水弁をＯＮ制御する。例えば、電源部ユニット３０２から所定の駆動電圧を入力し、この駆動電圧に基づいて当該電磁弁ユニット内の排水用の電磁弁２ｆが開いた状態で、ミストユニット用の電磁弁２ｅが閉じた状態になされる。これにより、給湯配管２ａ（図１参照）から流量調整された温水Ｉが接続部２ａ′から電動弁２ｐ及び配管２ｋを通じて排水用の電磁弁２ｆに供給される場合であって、排水温度Ｔ１が凍結防止設定温度ＴＨ’以上となるように、配管内の温水を排出するようになされる。
【０２０８】
さらに、ステップＳＴ６４に移行して、制御部２Ｂｃは、排水温度Ｔ１と凍結防止設定温度ＴＨ’とを比較する。このとき、温度検出センサ２ｈは、凍結防止運転時、電動弁２ｐに接続された配管２ｊを流れる温水の温度を検出して温度検出信号Ｓ７ｈを出力するようになされる。制御部２Ｂｃは、温度検出信号Ｓ７ｈから排水温度Ｔ１を取得し、先の凍結防止設定温度ＴＨ’と今回の排水温度Ｔ２とを比較し、排水温度Ｔ２が凍結防止設定温度ＴＨ’を越えたか否かを判別する。排水温度Ｔ２が凍結防止設定温度ＴＨ’以下の場合は、その監視を継続する。これにより、凍結防止設定温度ＴＨ’に至っていないならば、その凍結防止設定温度ＴＨ’に至るまで、排水をし続け、凍結防止設定温度ＴＨ’になったら排水を停止できるようになる。
【０２０９】
排水温度Ｔ２が凍結防止設定温度ＴＨ’を越えた場合、ステップＳＴ６５に移行して給湯弁を全閉制御する。図２４Ｂに示した電動弁２ｐでは、制御部２Ｂｃから出力されるパルス信号Ｓ２ｐに基づいてステッピングモータ４１９が逆回転し、針状弁４１６が図示しない逆円錐状の開口部に挿入され、排水量＝０、すなわち、全閉状態となされる。
【０２１０】
その後、ステップＳＴ６６に移行して制御部２Ｂｃは、排水弁をＯＦＦ制御する。例えば、図２９Ｂに示した電動・電磁弁ユニット２０２では、電源部ユニット３０２から電磁弁２ｆへの駆動電圧が０［Ｖ」とされることで、電磁弁２ｆが閉じた状態となる。ミストユニット用の電磁弁２ｅは閉じた状態のままである。そして、ステップＳＴ６１に戻って、制御部２Ｂｃは、排水温度Ｔ１と凍結防止設定温度ＴＨ’とを比較し、上述した処理を繰り返すようになされる。
【０２１１】
このように、第４の実施例としての電源部ユニット３０２におけるミストサウナ運転停止中の制御例によれば、第１の実施例で説明した電磁弁２ｆはそのままで、電磁弁２ｄ（給湯バルブ）を流量調整可能な電動弁２ｐに変更すると、排水目的に応じた排水制御を効率的にできるようになる。しかも、電動弁２ｐの給湯量調整動作に伴う排水温度Ｔ１が検出されて温度検出信号Ｓ２ｈ（温度検出情報）が温度センサ２ｈから電源部ユニット３０２へ出力される。電源部ユニット３０２では、温度検出信号Ｓ２ｈに基づいて電動弁２ｐの給湯量を調整できるので、第３の実施例と同様にして、小容量の温水で配管凍結を防止できるようになる。なお、給湯バルブを調整可能とすることで、ミストサウナ運転時の温水の噴出量を可変することもできる。
【実施例５】
【０２１２】
図３２Ａ，Ｂは、第５の実施例としての電動・電磁弁ユニット２０３，２０４の構成例を示す概念図である。
【０２１３】
図３２Ａに示す電動・電磁弁ユニット２０３は、図示しない床置きタイプのミスト発生装置に適しており、筐体２Ａ′を有している。この例でも、筐体２Ａ′の一側面を開放すると、電動・電磁弁ユニット内の電磁弁２ｄ、２ｅ及び電動弁２ｇの配置が見られる構成となされている。
【０２１４】
筐体２Ａ′には、上述した給水配管２ａを接続するための接続部２ａ′と、同様にノズル配管２ｂを接続するための接続部２ｂ′と、ドレン配管２ｃを接続するための接続部２ｃ′とが取り付けられて固定されている。
【０２１５】
この例で、筐体２Ａ′の内側において、接続部２ａ′には給水又は給湯用の電磁弁２ｄが取り付けられ、給湯装置４からの水又は温水を供給するようになされる。この電磁弁２ｄに接続された配管２ｉは、Ｔ字状に分岐される。その一方の配管２ｊ′には、ミストノズル用の電磁弁２ｅが取り付けられ、水又は温水をノズルユニット２Ｃへ供給するようになされる。電磁弁２ｅの下流側（他端）は接続部２ｂ′に取り付けられる。電磁弁２ｅよりも低い位置には、排水流量調整用の電動弁２ｇが配設されると共に、配管２ｉから分岐された他方の配管２ｋ′に取り付けられ、排水時に流量調整するようになされる。電動弁２ｇの下流側（他端）は接続部２ｃ′に取り付けられる。
【０２１６】
図３２Ｂに示す電動・電磁弁ユニット２０４も、図示しない床置きタイプのミスト発生装置に適しており、筐体２Ａ′を有している。この例でも、筐体２Ａ′の一側面を開放すると、電動・電磁弁ユニット内の電動弁２ｐ、電磁弁２ｅ及び２ｆの配置が見られる構成となされている。
【０２１７】
この例では、筐体２Ａ′の内側において、接続部２ａ′には給水又は給湯流量調整用の電磁弁２ｐが取り付けられ、給湯装置４からの水又は温水の供給量を調整するようになされる。この電磁弁２ｐに接続された配管２ｉは、Ｔ字状に分岐される。その一方の配管２ｊ′には、ミストノズル用の電磁弁２ｅが取り付けられ、水又は温水をノズルユニット２Ｃへ供給するようになされる。電磁弁２ｅの下流側（他端）は接続部２ｂ′に取り付けられる。電磁弁２ｅよりも低い位置には、排水用の電動弁２ｆが配設されると共に、配管２ｉから分岐された他方の配管２ｋ′に取り付けられ、水を排水するようになされる。電磁弁２ｆの下流側（他端）は接続部２ｃ′に取り付けられる。
【０２１８】
このように、第５の実施例としての配管構造を備えた電動・電磁弁ユニット２０３，２０４を第３及び第４の実施例に適用した場合も、電源部ユニット３０２で温度検出信号Ｓ２ｈに基づいて電動弁２ｇや電動弁２ｐ等で流量を調整できるので、第３及び第４の実施例と同様にして、小容量の温水で配管凍結を防止できるようになる。もちろん、給湯バルブを調整可能とすることで、ミストサウナ運転時の温水の噴出量を可変することもできる。
【産業上の利用可能性】
【０２１９】
本発明は、給湯装置より供給される温水又は水を噴出する浴室ユニットに適用して極めて好適である。
【図面の簡単な説明】
【０２２０】
【図１】本発明に係る第１の実施例としての浴室システム１の構成例を示す断面の概念図である。
【図２】電磁弁ユニット２Ａの構成例を示す正面図である。
【図３】Ａ〜Ｃは、電磁弁ユニット２Ａのミストサウナ運転開始時の動作例を示す線図である。
【図４】Ａ及びＢは、電磁弁ユニット２Ａのミストサウナ運転停止時の動作例を示す線図である。
【図５】Ａ〜Ｃは、ノズルユニット２Ｃの構成例を示す図である。
【図６】浴室空調装置３の内部構成例を示す断面図である。
【図７】浴室空調装置３の分解例を示す斜視図である。
【図８】Ａ〜Ｃは、浴室空調装置３の動作例を示す図である。
【図９】ヒートポンプ式の給湯装置４の構成例を示すブロック図である。
【図１０】ミストリモコン（ミスト操作部）７の操作面の構成例を示す正面図である。
【図１１】空調リモコン（主操作部）６の操作面の構成例を示す正面図である。
【図１２】第１の実施例に係る浴室空調装置３及びミスト発生装置２の制御系の構成例を示すブロック図である。
【図１３】入浴ミストモードの動作例（その１）を示すフローチャートである。
【図１４】入浴ミストモードの動作例（その２）を示すフローチャートである。
【図１５】換気標準モードの動作例を示すフローチャートである。
【図１６】浴室乾燥モードの動作例を示すフローチャートである。
【図１７】暖房モードの動作例を示すフローチャートである。
【図１８】涼風モードの動作例を示すフローチャートである。
【図１９】衣類乾燥モードの動作例を示すフローチャートである。
【図２０】第２の実施例としての浴室ユニット１にける入浴ミストモード時の動作例（その１）を示すフローチャートである。
【図２１】その浴室ユニット１にける入浴ミストモード時の動作例（その２）を示すフローチャートである。
【図２２】第３の実施例として電動・電磁弁ユニット２０１の構成例を示す正面図である。
【図２３】Ａ及びＢは、電磁弁２ｄ等の構成例を示す上面図及び一部破砕の正面図である。
【図２４】Ａ及びＢは、電動弁２ｇ等の構成例を示す上面図及び一部破砕の正面図である。
【図２５】Ａ〜Ｃは、電動・電磁弁ユニット２０１のミストサウナ運転停止時の動作例を示す線図である。
【図２６】第３の実施例に係る浴室空調装置３及びミスト発生装置２の制御系の構成例を示すブロック図である。
【図２７】電源部ユニット３０１におけるミストサウナ運転停止中の制御例を示すフローチャートである。
【図２８】第４の実施例として電動・電磁弁ユニット２０２の構成例を示す概念図である。
【図２９】Ａ〜Ｃは、電動・電磁弁ユニット２０２のミストサウナ運転停止時の動作例を示す線図である。
【図３０】第４の実施例に係る浴室空調装置３及びミスト発生装置２の制御系の構成例を示すブロック図である。
【図３１】電源部ユニット３０２におけるミストサウナ運転停止中の制御例を示すフローチャートである。
【図３２】Ａ，Ｂは、第５の実施例としての電動・電磁弁ユニット２０３，２０４の構成例を示す概念図である。
【符号の説明】
【０２２１】
１・・・浴室システム、２・・・ミスト発生装置、２Ａ・・・電磁弁ユニット、２Ａ′・・・筐体、２Ｂ，３０１，３０２・・・電源部ユニット、２Ｃ・・・ノズルユニット、２ａ・・・給水配管、２ｂ・・・ノズル配管、２ｃ・・・ドレン配管、２ａ′〜２ｃ′・・・接続部、２ｄ〜２ｆ・・・電磁弁、２ｇ，２ｐ・・・電動弁、２ｈ・・・温度検出センサ、２ｉ〜２ｋ・・・配管、３・・・浴室空調装置、４・・・給湯装置、６・・・主操作部（空調リモコン）、６ａ，７ａ，８０ａ・・・電気ケーブル、７・・・ミスト操作部（ミストリモコン）、７ａ・・・電気ケーブル、８・・・排気ダクト、２６・・・フロントパネル、６９・・・温度検出センサ、６９Ａ・・・人体検出センサ、６９Ｂ・・・浴室照明スイッチ、１０１・・・浴室、１０１ａ・・・点検口、１０１ｂ・・・浴槽、１０１ｃ・・・ドレンパン、２０１〜２０４・・・電動・電磁弁ユニット
【図１】
0004770373.tif 000002
【図２】
0004770373.tif 000003
【図３】
0004770373.tif 000004
【図４】
0004770373.tif 000005
【図５】
0004770373.tif 000006
【図６】
0004770373.tif 000007
【図７】
0004770373.tif 000008
【図８】
0004770373.tif 000009
【図９】
0004770373.tif 000010
【図１０】
0004770373.tif 000011
【図１１】
0004770373.tif 000012
【図１２】
0004770373.tif 000013
【図１３】
0004770373.tif 000014
【図１４】
0004770373.tif 000015
【図１５】
0004770373.tif 000016
【図１６】
0004770373.tif 000017
【図１７】
0004770373.tif 000018
【図１８】
0004770373.tif 000019
【図１９】
0004770373.tif 000020
【図２０】
0004770373.tif 000021
【図２１】
0004770373.tif 000022
【図２２】
0004770373.tif 000023
【図２３】
0004770373.tif 000024
【図２４】
0004770373.tif 000025
【図２５】
0004770373.tif 000026
【図２６】
0004770373.tif 000027
【図２７】
0004770373.tif 000028
【図２８】
0004770373.tif 000029
【図２９】
0004770373.tif 000030
【図３０】
0004770373.tif 000031
【図３１】
0004770373.tif 000032
【図３２】
0004770373.tif 000033